(57)【要約】他のアップリンク共有チャネルデータを除外してアップリンク共有チャネルリソースを使用してユーザ機器（ＵＥ）から基地局へのアップリンク制御情報（ＵＣＩ）の送信を提供する、ワイヤレス通信のための方法、システム、およびデバイスが説明される。ＵＣＩおよびアップリンク制御パラメータに基づいて、ＵＥは、ＵＣＩのためのリソース要素当たりのビット数（ＢＰＲＥ）またはスペクトル効率に少なくとも部分的に基づいて、ＵＣＩの送信のためのアップリンク電力を決定し得る。【選択図】図５
2021518709.tif 000002
【特許請求の範囲】
【請求項１】
ワイヤレス通信のための方法であって、
ユーザ機器（ＵＥ）によって、アップリンク送信のためのアップリンク共有チャネルの割り振られたアップリンクリソースを示すグラントを受信することであって、前記割り振られたアップリンクリソースが、アップリンク制御情報（ＵＣＩ）の送信のために割り振られたリソースを含み、他のアップリンク共有チャネル情報の送信のために割り振られたリソースを欠く、受信することと、
前記グラント中で示される前記ＵＣＩのための変調次数またはコードレートのうちの１つまたは複数に少なくとも部分的に基づいて、前記ＵＣＩのためのリソース要素当たりのビット数（ＢＰＲＥ）を識別することと、
前記ＢＰＲＥに少なくとも部分的に基づいて、前記ＵＣＩの送信のためのアップリンク電力を決定することと、
を備える、方法。
【請求項２】
前記識別することが、
前記グラント中で示される前記コードレートと前記変調次数との積に少なくとも部分的に基づいて前記ＢＰＲＥを決定すること
をさらに備える、請求項１に記載の方法。
【請求項３】
前記識別することが、
前記ＢＰＲＥを前記コードレートの倍数として決定すること、ここにおいて、前記倍数は、前記グラント中で示される前記変調次数の関数である、
をさらに備える、請求項１に記載の方法。
【請求項４】
前記識別することが、
前記グラント中で示される変調およびコーディング方式（ＭＣＳ）とスペクトル効率との間のマッピングに少なくとも部分的に基づいて前記ＢＰＲＥを識別すること
をさらに備える、請求項１に記載の方法。
【請求項５】
前記ＭＣＳが、前記グラント内のＭＣＳインデックス値として示され、前記スペクトル効率は、前記ＭＣＳインデックス値にマッピングされる、請求項４に記載の方法。
【請求項６】
前記マッピングが、事前構成されたルックアップテーブルにおいて提供される、請求項５に記載の方法。
【請求項７】
前記識別することが、
前記コードレートと、前記変調次数と、前記ＵＣＩの前記送信のために割り振られたリソースブロック（ＲＢ）の数とに少なくとも部分的に基づいて、前記ＵＣＩの前記送信のためのトランスポートブロックサイズを計算することと、
前記計算されたトランスポートブロックサイズと前記ＵＣＩの前記送信のために使用されるべきリソース要素の数との間の比に基づいて前記ＢＰＲＥを決定することと、
をさらに備える、請求項１に記載の方法。
【請求項８】
前記ＢＰＲＥが、前記トランスポートブロックサイズを前記リソース要素の数で除算することによって決定される、請求項７に記載の方法。
【請求項９】
前記リソース要素の数が、前記グラント中で示される前記ＲＢの数と、前記ＵＣＩの前記送信のための送信期間中のシンボルの数とに少なくとも部分的に基づいて決定される、請求項８に記載の方法。
【請求項１０】
前記トランスポートブロックサイズが、他のアップリンク共有チャネル情報の送信のために割り振られたリソースを有するアップリンク共有チャネル送信のための事前構成されたトランスポートブロックサイズ計算手順に従って決定される、請求項８に記載の方法。
【請求項１１】
前記識別することが、
前記グラント中で示される前記ＵＣＩの送信のためのＲＢの数を識別することと、
前記ＲＢの数、前記コードレート、および前記変調次数にさらに少なくとも部分的に基づいて前記ＢＰＲＥを決定することと、
をさらに備える、請求項１に記載の方法。
【請求項１２】
前記決定されたアップリンク電力を使用して前記ＵＣＩを送信すること
をさらに備える、請求項１に記載の方法。
【請求項１３】
前記ＵＣＩが、肯定応答／否定応答（ＡＣＫ／ＮＡＣＫ）フィードバック情報、または１つまたは複数のチャネル状態情報（ＣＳＩ）部分のうちの１つまたは複数を含む、請求項１２に記載の方法。
【請求項１４】
ワイヤレス通信のための装置であって、
ユーザ機器（ＵＥ）によって、アップリンク送信のためのアップリンク共有チャネルの割り振られたアップリンクリソースを示すグラントを受信するための手段であって、前記割り振られたアップリンクリソースが、アップリンク制御情報（ＵＣＩ）の送信のために割り振られたリソースを含み、他のアップリンク共有チャネル情報の送信のために割り振られたリソースを欠く、受信するための手段と、
前記グラント中で示される前記ＵＣＩのための変調次数またはコードレートのうちの１つまたは複数に少なくとも部分的に基づいて、前記ＵＣＩのためのリソース要素当たりのビット数（ＢＰＲＥ）を識別するための手段と、
前記ＢＰＲＥに少なくとも部分的に基づいて、前記ＵＣＩの送信のためのアップリンク電力を決定するための手段と、
を備える、装置。
【請求項１５】
前記識別するための手段が、前記グラント中で示される前記コードレートと前記変調次数との積に少なくとも部分的に基づいて前記ＢＰＲＥを決定する、請求項１４に記載の装置。
【請求項１６】
前記識別するための手段が、前記ＢＰＲＥを前記コードレートの倍数として決定し、ここにおいて、前記倍数は、前記グラント中で示される前記変調次数の関数である、請求項１４に記載の装置。
【請求項１７】
前記識別するための手段が、前記グラント中で示される変調およびコーディング方式（ＭＣＳ）とスペクトル効率との間のマッピングに少なくとも部分的に基づいて前記ＢＰＲＥを識別する、請求項１４に記載の装置。
【請求項１８】
前記ＭＣＳが、前記グラント内のＭＣＳインデックス値として示され、前記スペクトル効率は、前記ＭＣＳインデックス値にマッピングされる、請求項１７に記載の装置。
【請求項１９】
前記コードレートと、前記変調次数と、前記ＵＣＩの前記送信のために割り振られたリソースブロック（ＲＢ）の数とに少なくとも部分的に基づいて、前記ＵＣＩの前記送信のためのトランスポートブロックサイズを計算するための手段、
前記決定するための手段は、前記計算されたトランスポートブロックサイズと前記ＵＣＩの前記送信のために使用されるべきリソース要素の数との間の比に基づいて前記ＢＰＲＥを決定する、
をさらに備える、請求項１４に記載の装置。
【請求項２０】
前記ＢＰＲＥが、前記トランスポートブロックサイズを前記リソース要素の数で除算することによって決定される、請求項１９に記載の装置。
【請求項２１】
前記リソース要素の数が、前記グラント中で示される前記ＲＢの数と、前記ＵＣＩの前記送信のための送信期間中のシンボルの数とに少なくとも部分的に基づいて決定される、請求項２０に記載の装置。
【請求項２２】
前記トランスポートブロックサイズが、他のアップリンク共有チャネル情報の送信のために割り振られたリソースを有するアップリンク共有チャネル送信のための事前構成されたトランスポートブロックサイズ計算手順に従って決定される、請求項２０に記載の装置。
【請求項２３】
前記グラント中で示される前記ＵＣＩの送信のためのＲＢの数を識別するための手段と、
前記決定するための手段は、前記ＲＢの数、前記コードレート、および前記変調次数にさらに少なくとも部分的に基づいて前記ＢＰＲＥを決定する、
請求項１４に記載の装置。
【請求項２４】
前記決定されたアップリンク電力を使用して前記ＵＣＩを送信するための手段
をさらに備える、請求項１４に記載の装置。
【請求項２５】
ワイヤレス通信のための装置であって、
プロセッサと、
前記プロセッサに結合されたメモリと、
前記メモリに記憶された命令とを備え、
前記命令は、前記装置に、
ユーザ機器（ＵＥ）によって、アップリンク送信のためのアップリンク共有チャネルの割り振られたアップリンクリソースを示すグラントを受信することであって、前記割り振られたアップリンクリソースが、アップリンク制御情報（ＵＣＩ）の送信のために割り振られたリソースを含み、他のアップリンク共有チャネル情報の送信のために割り振られたリソースを欠く、受信することと、
前記グラント中で示される前記ＵＣＩのための変調次数またはコードレートのうちの１つまたは複数に少なくとも部分的に基づいて、前記ＵＣＩのためのリソース要素当たりのビット数（ＢＰＲＥ）を識別することと、
前記ＢＰＲＥに少なくとも部分的に基づいて、前記ＵＣＩの送信のためのアップリンク電力を決定することと、
を行わせるために前記プロセッサによって実行可能である、装置。
【請求項２６】
前記命令が、前記装置に、
前記グラント中で示される前記コードレートと前記変調次数との積に少なくとも部分的に基づいて前記ＢＰＲＥを決定することを行わせるために前記プロセッサによってさらに実行可能である、
請求項２５に記載の装置。
【請求項２７】
前記命令が、前記装置に、
前記ＢＰＲＥを前記コードレートの倍数として決定することを行わせるために前記プロセッサによってさらに実行可能であり、ここにおいて、前記倍数は、前記グラント中で示される前記変調次数の関数である、
請求項２５に記載の装置。
【請求項２８】
前記命令が、前記装置に、
前記グラント中で示される変調およびコーディング方式（ＭＣＳ）とスペクトル効率との間のマッピングに少なくとも部分的に基づいて前記ＢＰＲＥを識別することを行わせるために前記プロセッサによってさらに実行可能である、請求項２５に記載の装置。
【請求項２９】
前記ＭＣＳが、前記グラント内のＭＣＳインデックス値として示され、前記スペクトル効率は、前記ＭＣＳインデックス値にマッピングされる、請求項２８に記載の装置。
【請求項３０】
前記命令が、前記装置に、
前記コードレートと、前記変調次数と、前記ＵＣＩの前記送信のために割り振られたリソースブロック（ＲＢ）の数とに少なくとも部分的に基づいて、前記ＵＣＩの前記送信のためのトランスポートブロックサイズを計算することと、
前記計算されたトランスポートブロックサイズと前記ＵＣＩの前記送信のために使用されるべきリソース要素の数との間の比に基づいて前記ＢＰＲＥを決定することと、
を行わせるために前記プロセッサによってさらに実行可能である、請求項２５に記載の装置。
【請求項３１】
前記ＢＰＲＥが、前記トランスポートブロックサイズを前記リソース要素の数で除算することによって決定される、請求項３０に記載の装置。
【請求項３２】
前記リソース要素の数が、前記グラント中で示される前記ＲＢの数と、前記ＵＣＩの前記送信のための送信期間中のシンボルの数とに少なくとも部分的に基づいて決定される、請求項３１に記載の装置。
【請求項３３】
前記トランスポートブロックサイズが、他のアップリンク共有チャネル情報の送信のために割り振られたリソースを有するアップリンク共有チャネル送信のための事前構成されたトランスポートブロックサイズ計算手順に従って決定される、請求項３１に記載の装置。
【請求項３４】
前記命令が、前記装置に、
前記グラント中で示される前記ＵＣＩの送信のためのＲＢの数を識別することと、
前記ＲＢの数、前記コードレート、および前記変調次数にさらに少なくとも部分的に基づいて前記ＢＰＲＥを決定することと、
を行わせるために前記プロセッサによってさらに実行可能である、請求項２５に記載の装置。
【請求項３５】
前記命令が、前記装置に、
前記決定されたアップリンク電力を使用して前記ＵＣＩを送信すること
を行わせるために前記プロセッサによってさらに実行可能である、請求項２５に記載の装置。
【請求項３６】
ワイヤレス通信のためのコードを記憶する非一時的コンピュータ可読媒体であって、前記コードが、
ユーザ機器（ＵＥ）によって、アップリンク送信のためのアップリンク共有チャネルの割り振られたアップリンクリソースを示すグラントを受信することであって、前記割り振られたアップリンクリソースが、アップリンク制御情報（ＵＣＩ）の送信のために割り振られたリソースを含み、他のアップリンク共有チャネル情報の送信のために割り振られたリソースを欠く、受信することと、
前記グラント中で示される前記ＵＣＩのための変調次数またはコードレートのうちの１つまたは複数に少なくとも部分的に基づいて、前記ＵＣＩのためのリソース要素当たりのビット数（ＢＰＲＥ）を識別することと、
前記ＢＰＲＥに少なくとも部分的に基づいて、前記ＵＣＩの送信のためのアップリンク電力を決定することと、
をプロセッサによって実行可能である命令を備える、非一時的コンピュータ可読媒体。
【発明の詳細な説明】
【技術分野】
【０００１】
［相互参照］
[0001]  本特許出願は、「Power Control Techniques for Uplink Control Information Transmissions in Wireless Communications」と題されＨｕａｎｇらによって２０１９年３月２１日に出願された米国特許出願第１６／３６１，１３７号、および「Power Control Techniques for Uplink Control Information Transmissions in Wireless Communications」と題され２０１８年３月２３日に出願されたＨｕａｎｇらによる米国仮特許出願第６２／６４７，５４７号に対する優先権を主張するもので、それらの各々は、本出願の譲受人に譲渡され、その全体が参照により本明細書に明確に組み込まれる。
【背景技術】
【０００２】
[0002]  以下は、一般にワイヤレス通信、およびワイヤレス通信におけるアップリンク制御情報送信のための電力制御技法に関する。
【０００３】
[0003]  ワイヤレス通信システムが、例えば、音声、ビデオ、パケットデータ、メッセージング、ブロードキャストなどの様々なタイプの通信コンテンツを提供するために広く展開されている。これらシステムは、利用可能なシステムリソース（例えば、時間、周波数、および電力）を共有することによって、複数のユーザとの通信をサポート可能であり得る。そのような多元接続システムの例は、ロングタームエボリューション（ＬＴＥ（登録商標））システム、ＬＴＥアドバンスト（ＬＴＥ−Ａ）システム、またはＬＴＥ−Ａプロシステムなどの第４世代（４Ｇ）システムと、新無線（ＮＲ：New Radio）システムと呼ばれることがある第５世代（５Ｇ）システムとを含む。これらシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−Ｓ−ＯＦＤＭ）などの技術を採用し得る。ワイヤレス多元接続通信システムが、別名ユーザ機器（ＵＥ）としても知られ得る複数の通信デバイスのための通信を各々同時にサポートするいくつかの基地局またはネットワークアクセスノードを含み得る。
【発明の概要】
【０００４】
[0004]  説明される技法は、共有チャネルリソースを使用して送信されるアップリンク制御情報（ＵＣＩ：uplink control information）に対するアップリンク電力制御のための改善された方法、システム、デバイス、または装置に関する。概して、説明される技法は、物理アップリンク共有チャネル（ＰＵＳＣＨ：physical uplink shared channel）リソースを使用してユーザ機器（ＵＥ：user equipment）からのＵＣＩの送信を提供し、ワイヤレスチャネルの状態およびワイヤレスチャネルを介した通信を管理するための他の制御情報についてサービング基地局に通知する。いくつかの場合には、ＵＥが、アップリンクグラント中でアップリンク制御パラメータのある特定の組合せを受信することに基づいて、他のＰＵＳＣＨデータなしにＰＵＳＣＨリソースを使用してＵＣＩが送信されるべきであると決定し得（例えば、ＵＣＩは、アップリンク共有チャネル（ＵＬ−ＳＣＨ：uplink shared channel）データを伴わずに送信される）、アップリンク送信中で送信されるべきＵＣＩを識別し得る。ＵＣＩおよびアップリンク制御パラメータに基づき、ＵＥは、ＵＣＩのためのリソース要素当たりのビット数（ＢＰＲＥ：bits per resource element）またはスペクトル効率に少なくとも部分的に基づいて、ＵＣＩの送信のためのアップリンク電力を決定し得る。
【０００５】
[0005]  いくつかの場合には、ＵＥが、アップリンク送信のための変調次数、コードレート、またはリソースブロック（ＲＢ：resource block）の数のうちの１つまたは複数を示し得るＰＵＳＣＨリソースを使用してＵＣＩのアップリンク送信のためのアップリンクリソース割振りを受信し得。いくつかの場合に、ＵＥは、ＢＰＲＥをコードレートの倍数として計算し得、ここで、倍数は、シグナリングされた変調次数の関数である。いくつかの場合に、ＵＥは、アップリンクリソース割振りとともにシグナリングされる変調およびコーディング方式（ＭＣＳ：modulation and coding scheme）フィールドまたはインデックスとＢＰＲＥとの間のマッピング（例えば、ルックアップテーブルにおいて提供される）に基づいて、ＢＰＲＥを識別し得る。さらなる場合に、ＵＥは、コードレート、変調次数、およびＵＣＩの送信のために割り振られたＲＢの数に少なくとも部分的に基づいて、ＵＣＩのためのトランスポートブロックサイズ（ＴＢＳ：transport block size）を計算し得、計算されたＴＢＳとＵＣＩの送信のために使用されるべきリソース要素の数との間の比に基づいてＢＰＲＥを決定し得る。ＵＥは、所定の電力制御関数に従ってＢＰＲＥを使用してアップリンク送信電力を決定し得る。
【０００６】
[0006]  ワイヤレス通信の方法が説明される。方法は、ＵＥによって、アップリンク送信のためのＵＬ−ＳＣＨの割り振られたアップリンクリソースを示すグラントを受信することであって、割り振られたアップリンクリソースが、ＵＣＩの送信のために割り振られたリソースを含み、他のＵＬ−ＳＣＨ情報の送信のために割り振られたリソースを欠く、受信することと、グラント中で示されるＵＣＩのための変調次数またはコードレートのうちの１つまたは複数に少なくとも部分的に基づいて、ＵＣＩのためのＢＰＲＥの数を識別することと、ＢＰＲＥに少なくとも部分的に基づいて、ＵＣＩの送信のためのアップリンク電力を決定することとを含み得る。
【０００７】
[0007]  ワイヤレス通信のための装置が説明される。本装置は、ＵＥによって、アップリンク送信のためのＵＬ−ＳＣＨの割り振られたアップリンクリソースを示すグラントを受信するための手段であって、割り振られたアップリンクリソースが、ＵＣＩの送信のために割り振られたリソースを含み、他のＵＬ−ＳＣＨ情報の送信のために割り振られたリソースを欠く、受信するための手段と、グラント中で示されるＵＣＩのための変調次数またはコードレートのうちの１つまたは複数に少なくとも部分的に基づいて、ＵＣＩのためのＢＰＲＥの数を識別するための手段と、ＢＰＲＥに少なくとも部分的に基づいて、ＵＣＩの送信のためのアップリンク電力を決定するための手段とを含み得る。
【０００８】
[0008]  ワイヤレス通信のための別の装置が説明される。装置は、プロセッサと、プロセッサに結合されたメモリと、メモリに記憶された命令とを含み得る。命令は、ＵＥによって、アップリンク送信のためのＵＬ−ＳＣＨの割り振られたアップリンクリソースを示すグラントを受信することであって、割り振られたアップリンクリソースが、ＵＣＩの送信のために割り振られたリソースを含み、他のＵＬ−ＳＣＨ情報の送信のために割り振られたリソースを欠く、受信することと、グラント中で示されるＵＣＩのための変調次数またはコードレートのうちの１つまたは複数に少なくとも部分的に基づいて、ＵＣＩのためのＢＰＲＥの数を識別することと、ＢＰＲＥに少なくとも部分的に基づいて、ＵＣＩの送信のためのアップリンク電力を決定することとをプロセッサに行わせるように動作可能であり得る。
【０００９】
[0009]  ワイヤレス通信のための非一時的コンピュータ可読媒体が説明される。非一時的コンピュータ可読媒体は、ＵＥによって、アップリンク送信のためのＵＬ−ＳＣＨの割り振られたアップリンクリソースを示すグラントを受信することであって、割り振られたアップリンクリソースが、ＵＣＩの送信のために割り振られたリソースを含み、他のＵＬ−ＳＣＨ情報の送信のために割り振られたリソースを欠く、受信することと、グラント中で示されるＵＣＩのための変調次数またはコードレートのうちの１つまたは複数に少なくとも部分的に基づいて、ＵＣＩのためのＢＰＲＥの数を識別することと、ＢＰＲＥに少なくとも部分的に基づいて、ＵＣＩの送信のためのアップリンク電力を決定することとをプロセッサに行わせるように動作可能な命令を含み得る。
【００１０】
[0010]  上述された方法、装置、および非一時的コンピュータ可読媒体のいくつかの例は、グラント中で示されるコードレートと変調次数との積に少なくとも部分的に基づいてＢＰＲＥを決定するためのプロセス、特徴、手段、または命令をさらに含み得る。上述された方法、装置、および非一時的コンピュータ可読媒体のいくつかの例は、ＢＰＲＥをコードレートの倍数として決定するためのプロセス、特徴、手段、または命令をさらに含み得、ここにおいて、倍数は、グラント中で示される変調次数の関数であり得る。
【００１１】
[0011]  上述された方法、装置、および非一時的コンピュータ可読媒体のいくつかの例は、グラント中で示されるＭＣＳとスペクトル効率との間のマッピングに少なくとも部分的に基づいてＢＰＲＥを識別するためのプロセス、特徴、手段、または命令をさらに含み得る。上述された方法、装置、および非一時的コンピュータ可読媒体のいくつかの例において、ＭＣＳは、グラント中でＭＣＳインデックス値として示され得、ここにおいて、スペクトル効率は、ＭＣＳインデックス値にマッピングされ得る。上述された方法、装置、および非一時的コンピュータ可読媒体のいくつかの例において、マッピングは、事前構成されたルックアップテーブルにおいて提供され得る。
【００１２】
[0012]  上述された方法、装置、および非一時的コンピュータ可読媒体のいくつかの例は、コードレート、変調次数、およびＵＣＩの送信のために割り振られたＲＢの数に少なくとも部分的に基づいて、ＵＣＩの送信のためのＴＢＳを計算するためのプロセス、特徴、手段、または命令をさらに含み得る。上述された方法、装置、および非一時的コンピュータ可読媒体のいくつかの例は、計算されたＴＢＳとＵＣＩの送信のために使用されるべきリソース要素の数との間の比に基づいてＢＰＲＥを決定するためのプロセス、特徴、手段、または命令をさらに含み得る。
【００１３】
[0013]  上述された方法、装置、および非一時的コンピュータ可読媒体のいくつかの例において、ＢＰＲＥは、ＴＢＳをリソース要素の数で除算することによって決定され得る。上述された方法、装置、および非一時的コンピュータ可読媒体のいくつかの例において、リソース要素の数は、グラント中で示されるＲＢの数と、ＵＣＩの送信のための送信期間中のシンボルの数とに少なくとも部分的に基づいて決定され得る。上述された方法、装置、および非一時的コンピュータ可読媒体のいくつかの例において、ＴＢＳは、他のＵＬ−ＳＣＨ情報の送信のために割り振られたリソースを有するＵＬ−ＳＣＨ送信のための事前構成されたＴＢＳ計算手順に従って決定され得る。
【００１４】
[0014]  上述された方法、装置、および非一時的コンピュータ可読媒体のいくつかの例は、グラント中で示されるＵＣＩの送信のためのＲＢの数を識別するためのプロセス、特徴、手段、または命令をさらに含み得る。上述された方法、装置、および非一時的コンピュータ可読媒体のいくつかの例は、ＲＢの数、コードレート、および変調次数にさらに少なくとも部分的に基づいてＢＰＲＥを決定するためのプロセス、特徴、手段、または命令をさらに含み得る。
【００１５】
[0015]  上述された方法、装置、および非一時的コンピュータ可読媒体のいくつかの例は、決定されたアップリンク電力を使用してＵＣＩを送信するためのプロセス、特徴、手段、または命令をさらに含み得る。上述された方法、装置、および非一時的コンピュータ可読媒体のいくつかの例において、ＵＣＩは、肯定応答／否定応答（ＡＣＫ／ＮＡＣＫ：acknowledgment/negative-acknowledgment）フィードバック情報、または１つまたは複数のチャネル状態情報（ＣＳＩ：channel state information）部分のうちの１つまたは複数を含む。
【図面の簡単な説明】
【００１６】
【図１】本開示の態様による、ワイヤレス通信におけるアップリンク制御情報送信のための電力制御技法をサポートするワイヤレス通信のためのシステムの一例を示す。
【図２】本開示の態様による、ワイヤレス通信におけるアップリンク制御情報送信のための電力制御技法をサポートするワイヤレス通信システムワイヤレス通信システムの一部分の一例を示す。
【図３】本開示の態様による、ワイヤレス通信におけるアップリンク制御情報送信のための電力制御技法をサポートする共有チャネルリソースを使用して送信されるアップリンク制御情報のための時間および周波数リソースの一例を示す。
【図４】本開示の態様による、ワイヤレス通信におけるアップリンク制御情報送信のための電力制御技法をサポートするルックアップテーブルの一例を示す。
【図５】本開示の態様による、ワイヤレス通信におけるアップリンク制御情報送信のための電力制御技法をサポートするプロセスフローの一例を示す。
【図６】本開示の態様による、ワイヤレス通信におけるアップリンク制御情報送信のための電力制御技法をサポートするデバイスのブロック図を示す。
【図７】本開示の態様による、ワイヤレス通信におけるアップリンク制御情報送信のための電力制御技法をサポートするデバイスのブロック図を示す。
【図８】本開示の態様による、ワイヤレス通信におけるアップリンク制御情報送信のための電力制御技法をサポートするデバイスのブロック図を示す。
【図９】本開示の態様による、ワイヤレス通信におけるアップリンク制御情報送信のための電力制御技法をサポートするＵＥを含むシステムのブロック図を示す。
【図１０】本開示の態様による、ワイヤレス通信におけるアップリンク制御情報送信のための電力制御技法のための方法を示す。
【図１１】本開示の態様による、ワイヤレス通信におけるアップリンク制御情報送信のための電力制御技法のための方法を示す。
【図１２】本開示の態様による、ワイヤレス通信におけるアップリンク制御情報送信のための電力制御技法のための方法を示す。
【図１３】本開示の態様による、ワイヤレス通信におけるアップリンク制御情報送信のための電力制御技法のための方法を示す。
【図１４】本開示の態様による、ワイヤレス通信におけるアップリンク制御情報送信のための電力制御技法のための方法を示す。
【図１５】本開示の態様による、ワイヤレス通信におけるアップリンク制御情報送信のための電力制御技法のための方法を示す。
【図１６】本開示の態様による、ワイヤレス通信におけるアップリンク制御情報送信のための電力制御技法のための方法を示す。
【詳細な説明】
【００１７】
[0024]  説明される技法は、物理アップリンク共有チャネル（ＰＵＳＣＨ：physical uplink shared channel）リソースを使用するユーザ機器（ＵＥ）からのアップリンク制御情報（ＵＣＩ：uplink control information）の送信のためのアップリンク電力制御を提供する改善された方法、システム、デバイス、または装置に関する。いくつかの例において、本技法は、アップリンク共有チャネル（ＵＬ−ＳＣＨ：uplink shared channel）データを含まないＰＵＳＣＨ送信上でＵＣＩを送信するために使用され得る。そのようなＵＣＩは、例えば、ワイヤレスチャネルの状態およびワイヤレスチャネルを介した通信を管理するための他の制御情報についてサービング基地局に通知し得る。いくつかの場合には、ＵＥは、アップリンクグラント中でアップリンク制御パラメータのある特定の組合せを受信することに基づいて、ＵＣＩが他のＰＵＳＣＨデータなしにＰＵＳＣＨリソースを使用して送信されるべきである（例えば、ＵＣＩがＵＬ−ＳＣＨデータを伴わずに送信される）と決定し得、アップリンク送信中で送信されるべきＵＣＩを識別し得る。ＵＣＩおよびアップリンク制御パラメータに基づいて、ＵＥは、ＵＣＩのためのリソース要素当たりのビット数（ＢＰＲＥ：bits per resource element）またはスペクトル効率に少なくとも部分的に基づいて、ＵＣＩの送信のためのアップリンク電力を決定し得る。
【００１８】
[0025]  ＵＣＩは、ハイブリッド自動再送要求（ＨＡＲＱ：：hybrid automatic repeat request）肯定応答（ＨＡＲＱ−ＡＣＫ：ＨＡＲＱ acknowledgment）データ、チャネル状態情報（ＣＳＩ：channel state information）、１つまたは複数の基準信号、またはそれらの任意の組合せなど、異なるタイプの情報を含み得る。いくつかの場合には、ＵＥが、制御チャネル（例えば、物理アップリンク制御チャネル（ＰＵＣＣＨ：physical uplink control channel））内で送られる送信内でＵＣＩを送信し得る。しかしながら、いくつかの場合に、ＵＥは、共有データチャネル（例えば、ＰＵＳＣＨ）中でＵＣＩを送信し得、それは本明細書においてピギーバックと呼ばれることがある。そのような場合、基地局が、ＰＵＳＣＨ送信においてピギーバックされたＵＣＩを送るために、ＵＥにＰＵＳＣＨのリソースを割り振るグラントを送り得る。
【００１９】
[0026]  本明細書で提供される技法によれば、共有チャネルリソースを使用するＵＣＩ送信のための様々な送信パラメータは、アップリンクグラント中に含まれる値に基づいてＵＥにおいて導出され得る。いくつかの場合には、ＵＥが、送信のスペクトル効率またはＢＰＲＥに基づいて、ＵＣＩ送信のためのアップリンク送信電力を導出し得る。ＢＰＲＥおよびスペクトル効率は、両方とも、アップリンクＵＣＩ送信のためにＵＥに割り振られた特定のワイヤレスリソースを介して中継される情報の量に関係するので、本開示において同義で使用され得る。いくつかの場合に、ＵＥは、ＵＣＩ送信のためのコードレートと変調次数とを識別し得る。コードレートは、ＵＣＩのペイロードサイズと、アップリンク送信のためにＵＥに割り振られたリソース要素（ＲＥ：resources element）の数とに少なくとも部分的に基づいて識別され得、変調次数は、アップリンクグラントを含むダウンリンク制御情報（ＤＣＩ：downlink control information）中でシグナリングされ得る。
【００２０】
[0027]  ＵＥは、いくつかの場合に、ＢＰＲＥをコードレートの倍数として決定し得、ここで、倍数は変調次数の関数である。いくつかの場合に、ＵＥは、ＢＰＲＥと、アップリンクリソース割振りとともにシグナリングされる変調およびコーディング方式（ＭＣＳ：modulation and coding scheme）フィールドまたはインデックスとの間のマッピング（例えば、ルックアップテーブルにおいて提供される）に基づいて、ＢＰＲＥを識別し得る。さらなる場合に、ＵＥは、コードレートと、変調次数と、ＵＣＩの送信のために割り振られたリソースブロック（ＲＢ：resource block）の数とに少なくとも部分的に基づいて、ＵＣＩのためのＴＢＳを計算し得、計算されたＴＢＳとＵＣＩの送信のために使用されるべきリソース要素の数との間の比に基づいてＢＰＲＥを決定し得る。ＵＥは、アップリンク送信電力を決定するために、所定の電力制御関数に従ってＢＰＲＥを使用し得る。ＵＥは、決定されたアップリンク送信電力を使用して、割り振られたアップリンクリソースを介してＵＣＩを生成し、送信し得る。そのような技法は、割り振られたアップリンクリソースを使用して送信されるべきデータの量に基づくアップリンク送信電力を提供し得、それは、基地局におけるＵＣＩの成功した受信の可能性を高め得る。
【００２１】
[0028]  本開示の態様は、最初に、ワイヤレス通信システムのコンテキストにおいて説明される。本開示の態様は、ワイヤレス通信におけるＵＣＩ送信のための電力制御技法に関する装置図、システム図、およびフローチャートによってさらに示され、それらを参照して説明される。
【００２２】
[0029]  図１は、本開示の様々な態様によるワイヤレス通信システム１００の一例を示す。ワイヤレス通信システム１００は、基地局１０５と、ＵＥ１１５と、コアネットワーク１３０とを含む。いくつかの例において、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａプロネットワーク、または新無線（ＮＲ）ネットワークであり得る。いくつかの場合に、ワイヤレス通信システム１００は、拡張ブロードバンド通信、超信頼性（例えば、ミッションクリティカル）通信、低レイテンシ通信、または低コストおよび低複雑度デバイスとの通信をサポートし得る。いくつかの場合には、ワイヤレス通信システム１００が、ＵＬ−ＳＣＨ送信なしにＰＵＳＣＨリソースを使用してＵＥによるアップリンクＵＣＩ送信をサポートし得る。そのような場合、ＵＥ１１５は、ＵＣＩ送信のスペクトル効率に基づいてアップリンク送信電力を決定し得る。
【００２３】
[0030]  基地局１０５は、１つまたは複数の基地局アンテナを介してＵＥ１１５とワイヤレス通信し得る。本明細書で説明される基地局１０５は、基地トランシーバ局、無線基地局、アクセスポイント、無線トランシーバ、ノードＢ、ｅノードＢ（ｅＮＢ）、次世代ノードＢもしくはギガノードＢ（いずれもｇＮＢと呼ばれることがある）、ホームノードＢ、ホームｅノードＢ、または何らかの他の好適な用語を含み得るか、またはそれらとして当業者によって呼ばれ得る。ワイヤレス通信システム１００は、異なるタイプの基地局１０５（例えば、マクロセル基地局またはスモールセル基地局）を含み得る。本明細書で説明されるＵＥ１１５は、マクロｅＮＢ、スモールセルｅＮＢ、ｇＮＢ、リレー基地局、および同様のものを含む様々なタイプの基地局１０５およびネットワーク機器と通信することが可能であり得る。
【００２４】
[0031]  基地局１０５は、１つまたは複数の基地局アンテナを介してＵＥ１１５とワイヤレスに通信し得る。本明細書で説明される基地局１０５は、基地トランシーバ局、無線基地局、アクセスポイント、無線トランシーバ、ノードＢ、ｅノードＢ（ｅＮＢ）、次世代ノードＢもしくはギガノードＢ（いずれもｇＮＢと呼ばれることがある）、ホームノードＢ、ホームｅノードＢ、または何らかの他の好適な用語を含み得るか、またはそれらとして当業者によって呼ばれ得る。ワイヤレス通信システム１００は、異なるタイプの基地局１０５（例えば、マクロセル基地局またはスモールセル基地局）を含み得る。本明細書で説明されるＵＥ１１５は、マクロｅＮＢ、スモールセルｅＮＢ、ｇＮＢ、リレー基地局、および同様のものを含む様々なタイプの基地局１０５およびネットワーク機器と通信することが可能であり得る。
【００２５】
[0032]  各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０に通信カバレッジを提供でき、基地局１０５とＵＥ１１５との間の通信リンク１２５は、１つまたは複数のキャリアを利用できる。ワイヤレス通信システム１００に示される通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれることもあり、アップリンク送信は逆方向リンク送信と呼ばれることもある。
【００２６】
[0033]  基地局１０５のための地理的カバレッジエリア１１０は、地理的カバレッジエリア１１０の一部分のみを構成するセクタに分割され得、各セクタはセルに関連付けられ得る。例えば、各基地局１０５は、マクロセル、スモールセル、ホットスポット、もしくは他のタイプのセル、またはそれらの様々な組合せに通信カバレッジを提供し得る。いくつかの例では、基地局１０５が、移動可能であり得、従って、移動する地理的カバレッジエリア１１０に通信カバレッジを提供し得る。いくつかの例では、異なる技術に関連する異なる地理的カバレッジエリア１１０が重複し得、異なる技術に関連する重複する地理的カバレッジエリア１１０は、同じ基地局１０５によって、または異なる基地局１０５によってサポートされ得る。ワイヤレス通信システム１００は、例えば、異なるタイプの基地局１０５が様々な地理的カバレッジエリア１１０にカバレッジを提供する異種ＬＴＥ／ＬＴＥ−Ａ／ＬＴＥ−Ａ  ＰｒｏまたはＮＲネットワークを含み得る。
【００２７】
[0034]  「セル」という用語は、（例えば、キャリア上での）基地局１０５との通信のために使用される論理通信エンティティを指し、同じまたは異なるキャリアを介して動作する近隣セルを区別するための識別子（例えば、物理セル識別子（ＰＣＩＤ：physical cell identifier）、仮想セル識別子（ＶＣＩＤ：virtual cell identifier））に関連付けられ得る。いくつかの例では、キャリアが複数のセルをサポートし得、異なるセルが、異なるタイプのデバイスのためのアクセスを与え得る異なるプロトコルタイプ（例えば、マシンタイプ通信（ＭＴＣ：machine-type communication）、狭帯域モノのインターネット（ＮＢ−ＩｏＴ：narrowband Internet-of-Things）、拡張モバイルブロードバンド（ｅＭＢＢ：enhanced mobile broadband）、またはその他）に従って構成され得る。いくつかの場合に、「セル」という用語は、論理エンティティが動作する地理的カバレッジエリア１１０（例えば、セクタ）の一部分を指し得る。
【００２８】
[0035]  複数のＵＥ１１５が、ワイヤレス通信システム１００全体にわたって分散され得、各ＵＥ１１５が、固定またはモバイルであり得る。ＵＥ１１５はまた、モバイルデバイス、ワイヤレスデバイス、リモートデバイス、ハンドヘルドデバイス、もしくは加入者デバイス、または何らかの他の適切な用語で呼ばれることもあり、「デバイス」は、ユニット、局、端末、またはクライアントと呼ばれることもある。ＵＥ１１５がまた、セルラーフォン、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５がまた、ワイヤレスローカルループ（ＷＬＬ：wireless local loop）局、モノのインターネット（ＩｏＴ：Internet of Things）デバイス、ＩｏＥ（Internet of Everything）デバイス、またはＭＴＣデバイス、または同様のものを指し得、それらは、アプライアンス、車両、メータ、または同様のものなどの様々な物品において実施され得る。
【００２９】
[0036]  ＭＴＣまたはＩｏＴデバイスなど、いくつかのＵＥ１１５は、低コストまたは低複雑度デバイスであり得、（例えば、マシンツーマシン（Ｍ２Ｍ：Machine-to-Machine）通信を介した）マシン間の自動通信を提供し得る。Ｍ２Ｍ通信またはＭＴＣは、デバイスが人間の介入なしに互いにまたは基地局１０５と通信することを可能にするデータ通信技術を指し得る。いくつかの例では、Ｍ２Ｍ通信またはＭＴＣが、情報を測定またはキャプチャし、その情報を利用するか、またはプログラムもしくはアプリケーションと対話する人間に情報を提示できる中央サーバまたはアプリケーションプログラムにその情報を中継するために、センサまたはメータを統合するデバイスからの通信を含み得る。いくつかのＵＥ１１５は、情報を収集するように、または機械の自動化された挙動を可能にするように設計され得る。ＭＴＣデバイスのためのアプリケーションの例は、スマートメータリング、インベントリ監視、水位監視、機器監視、ヘルスケア監視、野生生物監視、天候および地質学的イベント監視、フリート管理および追跡、リモートセキュリティ感知、物理的アクセス制御、並びにトランザクションベースのビジネス課金を含む。
【００３０】
[0037]  いくつかのＵＥ１１５は、半二重通信（例えば、送信または受信を介した単方向通信をサポートするが、送信と受信とを同時にサポートしないモード）など、電力消費を低減する動作モードを採用するように構成され得る。いくつかの例では、半二重通信が、低減されたピークレートで行われ得る。ＵＥ１１５のための他の電力節約技法は、アクティブ通信に関与していないとき、または（例えば、狭帯域通信に従って）限られた帯域幅上で動作しているとき、電力節約「ディープスリープ」モードに入ることを含む。いくつかの場合には、ＵＥ１１５が、クリティカル機能（例えば、ミッションクリティカル機能）をサポートするように設計され得、ワイヤレス通信システム１００が、これら機能のための超信頼性通信を提供するように構成され得る。
【００３１】
[0038]  いくつかの場合には、ＵＥ１１５がまた、（例えば、ピアツーピア（Ｐ２Ｐ：peer-to-peer）またはデバイスツーデバイス（Ｄ２Ｄ：device-to-device）プロトコルを使用して）他のＵＥ１１５と直接通信することが可能であり得る。Ｄ２Ｄ通信を利用するＵＥ１１５のグループのうちの１つまたは複数は、基地局１０５の地理的カバレッジエリア１１０内にあり得る。そのようなグループ中の他のＵＥ１１５は、基地局１０５の地理的カバレッジエリア１１０の外側にあり得るか、またはさもなければ、基地局１０５からの送信を受信することが不可能であり得る。いくつかの場合に、Ｄ２Ｄ通信を介して通信するＵＥ１１５のグループは、各ＵＥ１１５がグループ中の他の全てのＵＥ１１５に送信する１対多（１：Ｍ）システムを利用し得る。いくつかの場合には、基地局１０５が、Ｄ２Ｄ通信のためのリソースのスケジューリングを容易にする。他の場合には、Ｄ２Ｄ通信が、基地局１０５の関与なしにＵＥ１１５間で行われる。
【００３２】
[0039]  基地局１０５は、コアネットワーク１３０と、および互いと通信し得る。例えば、基地局１０５は、（例えば、Ｓ１または他のインタフェースを介して）バックホールリンク１３２を通してコアネットワーク１３０とインタフェースし得る。基地局１０５は、直接的に（例えば、基地局１０５間で直接的に）または間接的に（例えば、コアネットワーク１３０を介して）のいずれかで、（例えば、Ｘ２または他のインタフェースを介して）バックホールリンク１３４を介して互いに通信し得る。
【００３３】
[0040]  コアネットワーク１３０は、ユーザ認証、アクセス許可、追跡、インターネットプロトコル（ＩＰ：Internet Protocol）接続性、および他のアクセス、ルーティング、またはモビリティ機能を提供し得る。コアネットワーク１３０は、少なくとも１つのモビリティ管理エンティティ（ＭＭＥ：mobility management entity）と、少なくとも１つのサービングゲートウェイ（Ｓ−ＧＷ：serving gateway）と、少なくとも１つのパケットデータネットワーク（ＰＤＮ：Packet Data Network）ゲートウェイ（Ｐ−ＧＷ：Packet Data Network gateway）とを含み得る発展型パケットコア（ＥＰＣ：evolved packet core）であり得る。ＭＭＥは、ＥＰＣに関連する基地局１０５によってサービスされるＵＥ１１５のためのモビリティ、認証、およびベアラ管理などの非アクセス層（例えば、制御プレーン）機能を管理し得る。ユーザＩＰパケットは、Ｓ−ＧＷを介して転送され得、それ自体は、Ｐ−ＧＷに接続され得る。Ｐ−ＧＷは、ＩＰアドレス割振り並びに他の機能を提供し得る。Ｐ−ＧＷは、ネットワーク事業者のＩＰサービスに接続され得る。オペレータＩＰサービスは、インターネット、イントラネット（１つまたは複数の）、ＩＰマルチメディアサブシステム（ＩＭＳ：IP Multimedia Subsystem）、またはパケット交換（ＰＳ：Packet-Switched）ストリーミングサービスへのアクセスを含み得る。
【００３４】
[0041]  基地局１０５など、ネットワークデバイスのうちの少なくともいくつかは、アクセスノードコントローラ（ＡＮＣ：access node controller）の一例であり得るアクセスネットワークエンティティなどのサブコンポーネントを含み得る。各アクセスネットワークエンティティは、無線ヘッド、スマート無線ヘッド、または送信／受信ポイント（ＴＲＰ：transmission/reception point）と呼ばれることがある、いくつかの他のアクセスネットワーク送信エンティティを通してＵＥ１１５と通信し得る。いくつかの構成では、各アクセスネットワークエンティティまたは基地局１０５の様々な機能が、様々なネットワークデバイス（例えば、無線ヘッドおよびアクセスネットワークコントローラ）にわたって分散されるか、または単一のネットワークデバイス（例えば、基地局１０５）に統合され得る。
【００３５】
[0042]  ワイヤレス通信システム１００は、典型的には３００ＭＨｚ〜３００ＧＨｚの範囲内の１つまたは複数の周波数帯域を使用して動作し得る。一般に、３００ＭＨｚから３ＧＨｚまでの領域は、波長が約１デシメートルから１メートルの長さに及ぶので、極超短波（ＵＨＦ）領域またはデシメートル帯域として知られている。ＵＨＦ波は、建物および環境特徴によって遮断または方向転換され得る。しかしながら、波は、マクロセルが屋内に位置するＵＥ１１５にサービスを提供するために十分に構造を貫通し得る。ＵＨＦ波の送信は、３００ＭＨｚ未満のスペクトルの高周波数（ＨＦ）または超高周波数（ＶＨＦ）部分のより小さい周波数およびより長い波を使用する送信と比較して、より小さいアンテナおよびより短い範囲（例えば、１００ｋｍ未満）に関連し得る。
【００３６】
[0043]  ワイヤレス通信システム１００はまた、センチメートル帯域としても知られる、３ＧＨｚから３０ＧＨｚまでの周波数帯域を使用する超高周波数（ＳＨＦ）領域において動作し得る。ＳＨＦ領域は、他のユーザからの干渉に耐えることができるデバイスによって日和見的に使用され得る、５ＧＨｚの産業、科学、および医療（ＩＳＭ）帯域などの帯域を含む。
【００３７】
[0044]  ワイヤレス通信システム１００はまた、ミリメートル帯域としても知られる、（例えば、３０ＧＨｚ〜３００ＧＨｚの）スペクトルの超高周波数（ＥＨＦ）領域において動作し得る。いくつかの例では、ワイヤレス通信システム１００が、ＵＥ１１５と基地局１０５との間のミリメートル波（ｍｍＷ）通信をサポートし得、それぞれのデバイスのＥＨＦアンテナは、ＵＨＦアンテナよりもさらに小さく、ＵＨＦアンテナよりも密接に離間され得る。いくつかの場合に、これは、ＵＥ１１５内のアンテナアレイの使用を容易にし得る。しかしながら、ＥＨＦ送信の伝搬は、ＳＨＦまたはＵＨＦ送信よりもさらに大きい大気減衰およびより短い範囲にさらされ得る。本明細書で開示する技法は、１つまたは複数の異なる周波数領域を使用する送信にわたって採用され得、これら周波数領域にわたる帯域の指定された使用は、国または規制団体によって異なり得る。
【００３８】
[0045]  いくつかの場合には、ワイヤレス通信システム１００が、認可無線周波数スペクトル帯域と無認可無線周波数スペクトル帯域の両方を利用し得る。例えば、ワイヤレス通信システム１００は、５ＧＨｚ  ＩＳＭ帯域などの無認可帯域において、ライセンス支援アクセス（ＬＡＡ：License Assisted Access）、ＬＴＥ−無認可（ＬＴＥ−Ｕ：ＬＴＥ-Unlicensed）無線アクセス技術、またはＮＲ技術を採用し得る。無認可無線周波数スペクトル帯域において動作するとき、基地局１０５およびＵＥ１１５などのワイヤレスデバイスは、データを送信する前に周波数チャネルがクリアであることを保証するためにリッスンビフォアトーク（ＬＢＴ：listen-before-talk）手順を採用し得る。いくつかの場合には、無認可帯域における動作が、認可帯域（例えば、ＬＡＡ）において動作するＣＣに連携したＣＡ構成に基づき得る。無認可スペクトルにおける動作は、ダウンリンク送信、アップリンク送信、ピアツーピア送信、またはこれらの組合せを含み得る。無認可スペクトルにおける複信は、周波数分割複信（ＦＤＤ）、時分割複信（ＴＤＤ）、または両方の組合せに基づき得る。
【００３９】
[0046]  いくつかの例では、基地局１０５またはＵＥ１１５が、送信ダイバーシティ、受信ダイバーシティ、多入力多出力（ＭＩＭＯ：multiple-input multiple-output）通信、またはビームフォーミングなどの技法を採用するために使用され得る複数のアンテナを装備し得る。例えば、ワイヤレス通信システム１００は、送信デバイス（例えば、基地局１０５）と受信デバイス（例えば、ＵＥ１１５）との間で送信方式を使用し得、ここで、送信デバイスはマルチプルのアンテナを装備し、受信デバイスは１つまたは複数のアンテナを装備する。ＭＩＭＯ通信は、異なる空間レイヤを介して複数の信号を送信または受信することによってスペクトル効率を高めるためにマルチパス信号伝搬を採用し得、それは空間多重化と呼ばれ得る。複数の信号は、例えば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム（例えば、同じコードワード）または異なるデータストリームに関連するビットを搬送し得る。異なる空間レイヤは、チャネル測定および報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ：single-user MIMO）と、複数の空間レイヤが複数のデバイスに送信されるマルチユーザＭＩＭＯ（ＭＵ−ＭＩＭＯ：multiple-user MIMO）とを含む。
【００４０】
[0047]  空間フィルタリング、指向性送信、または指向性受信とも呼ばれ得るビームフォーミングは、送信デバイスと受信デバイスとの間の空間経路に沿ってアンテナビーム（例えば、送信ビームまたは受信ビーム）を整形またはステアリングするために、送信デバイスまたは受信デバイス（例えば、基地局１０５またはＵＥ１１５）において使用され得る信号処理技法である。ビームフォーミングは、アンテナアレイのアンテナ素子を介して通信される信号を、アンテナアレイに対して特定の向きで伝搬する信号が強め合う干渉（constructive interference）を受け、他の信号が弱め合う干渉（destructive interference）を受けるように組み合わせることによって達成され得る。アンテナ素子を介して通信される信号の調整は、送信デバイスまたは受信デバイスが、デバイスに関連するアンテナ素子の各々を介して搬送される信号にある特定の増幅および位相オフセットを適用することを含み得る。アンテナ素子の各々に関連する調整は、（例えば、送信デバイスまたは受信デバイスのアンテナアレイに関して、または何らかの他の配向に関して）特定の配向に関連するビームフォーミング重みセットによって定義され得る。
【００４１】
[0048]  いくつかの場合に、基地局１０５またはＵＥ１１５のアンテナは、ＭＩＭＯ動作をサポートし得る、またはビームフォーミングを送信もしくは受信し得る、１つまたは複数のアンテナアレイ内に位置し得る。例えば、１つまたは複数の基地局アンテナまたはアンテナアレイは、アンテナタワーなどのアンテナアセンブリに共同設置され(co-located)得る。いくつかの場合には、基地局１０５に関連するアンテナまたはアンテナアレイが、様々な地理的ロケーションに位置し得る。基地局１０５は、基地局１０５がＵＥ１１５との通信のビームフォーミングをサポートするために使用し得るアンテナポートのいくつかの行および列を有するアンテナアレイを有し得る。同様に、ＵＥ１１５は、様々なＭＩＭＯまたはビームフォーミング動作をサポートし得る１つまたは複数のアンテナアレイを有し得る。
【００４２】
[0049]  いくつかの場合には、ワイヤレス通信システム１００が、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信が、ＩＰベースであり得る。無線リンク制御（ＲＬＣ：Radio Link Control）レイヤが、いくつかの場合に、論理チャネルを介して通信するためにパケットセグメンテーションおよびリアセンブリを行い得る。媒体アクセス制御（ＭＡＣ：Medium Access Control）レイヤが、優先度処理と、トランスポートチャネルへの論理チャネルの多重化とを行い得る。ＭＡＣレイヤはまた、リンク効率を改善するために、ＭＡＣレイヤにおいて再送信を提供するためにＨＡＲＱを使用し得る。制御プレーンにおいて、無線リソース制御（ＲＲＣ：Radio Resource Control）プロトコルレイヤは、ユーザプレーンデータのための無線ベアラをサポートするコアネットワーク１３０または基地局１０５とＵＥ１１５との間のＲＲＣ接続の確立、構成、および維持を提供し得る。物理（ＰＨＹ：Physical）レイヤにおいて、トランスポートチャネルは、物理チャネルにマッピングされ得る。
【００４３】
[0050]  いくつかの場合に、ＵＥ１１５および基地局１０５は、データが成功裏に受信される可能性を高めるために、データの再送信をサポートし得る。ＨＡＲＱフィードバックは、データが通信リンク１２５上で正しく受信される可能性を高める１つの技法である。ＨＡＲＱは、（例えば、巡回冗長検査（ＣＲＣ：cyclic redundancy check）を使用する）誤り検出と、前方誤り訂正（ＦＥＣ：forward error correction）と、再送信（例えば、自動再送要求（ＡＲＱ：automatic repeat request））との組合せを含み得る。ＨＡＲＱは、劣悪な無線条件（例えば、信号対雑音条件）においてＭＡＣレイヤにおけるスループットを改善し得る。いくつかの場合には、ワイヤレスデバイスが、同スロットＨＡＲＱフィードバックをサポートし得、ここで、デバイスは、スロット中の前のシンボル中で受信されたデータのために特定のスロットにおいてＨＡＲＱフィードバックを提供し得る。他の場合に、デバイスは、後続のスロットにおいて、または何らかの他の時間間隔に従って、ＨＡＲＱフィードバックを提供し得る。
【００４４】
[0051]  ＬＴＥまたはＮＲにおける時間間隔は、基本時間単位の倍数で表され得、それは、例えば、Ｔｓ＝１／３０，７２０，０００秒のサンプリング期間を指し得る。通信リソースの時間間隔は、各々が１０ミリ秒（ｍｓ）の持続時間を有する無線フレームに従って編成され得、フレーム周期は、Ｔｆ＝３０７，２００Ｔｓとして表され得る。無線フレームは、０から１０２３までの範囲のシステムフレーム番号（ＳＦＮ）によって識別され得る。各フレームは、０から９まで番号付けされた１０個のサブフレームを含み得、各サブフレームは、１ｍｓの持続時間を有し得る。サブフレームが、各々０．５ｍｓの持続時間を有する２つのスロットにさらに分割され得、各スロットが、（例えば、各シンボル期間にプリペンドされたサイクリックプレフィックスの長さに応じて）６または７個の変調シンボル期間を含み得る。サイクリックプレフィックスを除いて、各シンボル期間が、２０４８個のサンプリング期間を含み得る。いくつかの場合には、サブフレームが、ワイヤレス通信システム１００の最小スケジューリング単位であり得、送信時間間隔（ＴＴＩ：transmission time interval）と呼ばれることがある。他の場合には、ワイヤレス通信システム１００の最小スケジューリング単位が、サブフレームよりも短いことがあり、または（例えば、短縮ＴＴＩ（ｓＴＴＩ）のバーストにおいて、もしくはｓＴＴＩを使用する選択されたコンポーネントキャリアにおいて）動的に選択されることがある。
【００４５】
[0052]  いくつかのワイヤレス通信システムでは、スロットが、１つまたは複数のシンボルを含む複数のミニスロットにさらに分割され得る。いくつかの事例では、ミニスロットまたはミニスロットのシンボルが、スケジューリングの最小単位であり得る。各シンボルは、例えば、サブキャリア間隔または動作の周波数帯域に応じて持続時間が異なり得る。さらに、いくつかのワイヤレス通信システムは、複数のスロットまたはミニスロットが一緒にアグリゲートされ、ＵＥ１１５と基地局１０５との間の通信のために使用されるスロットアグリゲーションを実施し得る。
【００４６】
[0053]  「キャリア」という用語は、通信リンク１２５を介した通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、または他のシグナリングを搬送し得る。キャリアが、予め定義された周波数チャネル（例えば、Ｅ−ＵＴＲＡ絶対無線周波数チャネル番号（ＥＡＲＦＣＮ：E-UTRA absolute radio frequency channel number））に関連付けられ得、ＵＥ１１５による発見のためのチャネルラスタに従って配置され得る。キャリアは、（例えば、ＦＤＤモードにおいて）ダウンリンクまたはアップリンクであり得、あるいは（例えば、ＴＤＤモードにおいて）ダウンリンクおよびアップリンク通信を搬送するように構成され得る。いくつかの例では、キャリア上で送信される信号波形が、（例えば、ＯＦＤＭまたはＤＦＴ−ｓ−ＯＦＤＭなどのマルチキャリア変調（ＭＣＭ）技法を使用して）複数のサブキャリアから構成され得る。
【００４７】
[0054]  キャリアの編成構造は、異なる無線アクセス技術（例えば、ＬＴＥ、ＬＴＥ−Ａ、ＬＴＥ−Ａ  Ｐｒｏ、ＮＲなど）について異なり得る。例えば、キャリア上の通信は、ＴＴＩまたはスロットに従って編成され得、それらの各々は、ユーザデータ、並びにユーザデータを復号することをサポートするためのシグナリングまたは制御情報を含み得る。キャリアはまた、専用取得シグナリング（例えば、同期信号またはシステム情報など）と、キャリアのための動作を調整する制御シグナリングとを含み得る。いくつかの例では（例えば、キャリアアグリゲーション構成では）、キャリアがまた、他のキャリアのための動作を調整する制御シグナリングまたは取得シグナリングを有し得る。
【００４８】
[0055]  物理チャネルは、様々な技法に従ってキャリア上で多重化され得る。物理制御チャネルおよび物理データチャネルが、例えば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル中で送信される制御情報が、カスケード方式で異なる制御領域間で（例えば、共通制御領域または共通探索空間と１つまたは複数のＵＥ固有制御領域またはＵＥ固有探索空間との間で）分散され得る。
【００４９】
[0056]  キャリアは、無線周波数スペクトルの特定の帯域幅に関連付けられ得、いくつかの例において、キャリア帯域幅は、キャリアまたはワイヤレス通信システム１００の「システム帯域幅」と呼ばれ得る。例えば、キャリア帯域幅は、特定の無線アクセス技術（例えば、１．４、３、５、１０、１５、２０、４０、または８０ＭＨｚ）のキャリアのためのいくつかの所定の帯域幅のうちの１つであり得る。いくつかの例では、各被サービスＵＥ１１５が、キャリア帯域幅の一部または全部にわたって動作するように構成され得る。他の例では、いくつかのＵＥ１１５が、（狭帯域プロトコルタイプの「帯域内」展開等の）キャリア内の予め定義された部分または範囲（例えば、ＲＢまたはサブキャリアのセット）に関連付けられた狭帯域プロトコルタイプを使用する動作のために構成され得る。
【００５０】
[0057]  ＭＣＭ技法を採用するシステムでは、リソース要素が、１つのシンボル期間（例えば、１つの変調シンボルの持続時間）と１つのサブキャリアとを含み得、ここで、シンボル期間とサブキャリア間隔とは反比例する。各リソース要素によって搬送されるビットの数は、変調方式（例えば、変調方式の順序）に依存し得る。従って、ＵＥ１１５が受信するリソース要素が多いほど、また変調方式の次数が高いほど、ＵＥ１１５のデータレートは高くなり得る。ＭＩＭＯシステムでは、ワイヤレス通信リソースが、無線周波数スペクトルリソースと、時間リソースと、空間リソース（例えば、空間レイヤ）との組合せを指すことがあり、複数の空間レイヤの使用は、ＵＥ１１５との通信のためのデータレートをさらに増加させ得る。
【００５１】
[0058]  ワイヤレス通信システム１００のデバイス（例えば、基地局１０５またはＵＥ１１５）は、特定のキャリア帯域幅を介した通信をサポートするハードウェア構成を有し得るか、またはキャリア帯域幅のセットのうちの１つを介した通信をサポートするように構成可能であり得る。いくつかの例において、ワイヤレス通信システム１００は、２つ以上の異なるキャリア帯域幅に関連するキャリアを介した同時通信をサポートできる基地局１０５および／またはＵＥを含み得る。
【００５２】
[0059]  ワイヤレス通信システム１００は、複数のセルまたはキャリア上でのＵＥ１１５との通信、キャリアアグリゲーション（ＣＡ：carrier aggregation）またはマルチキャリア動作と呼ばれることがある特徴をサポートし得る。ＵＥ１１５が、キャリアアグリゲーション構成に従って、複数のダウンリンクＣＣおよび１つまたは複数のアップリンクＣＣで構成され得る。キャリアアグリゲーションは、ＦＤＤコンポーネントキャリアおよびＴＤＤコンポーネントキャリアの両方とともに使用され得る。
【００５３】
[0060]  いくつかの場合には、ワイヤレス通信システム１００が、拡張コンポーネントキャリア（ｅＣＣ：enhanced component carrier）を利用し得る。ｅＣＣが、より広いキャリアまたは周波数チャネル帯域幅、より短いシンボル持続時間、より短いＴＴＩ持続時間、または修正された制御チャネル構成を含む１つまたは複数の特徴によって特徴付けられ得る。いくつかの場合には、ｅＣＣが、（例えば、複数のサービングセルが準最適または非理想的なバックホールリンクを有するとき）キャリアアグリゲーション構成またはデュアル接続性構成に関連付けられ得る。ｅＣＣがまた、（例えば、２つ以上の事業者がスペクトルを使用することを可能にされる場合）無認可スペクトルまたは共有スペクトルにおいて使用するために構成され得る。広いキャリア帯域幅によって特徴付けられるｅＣＣが、キャリア帯域幅全体を監視することが可能でないか、またはそうでなければ（例えば、電力を節約するために）限られたキャリア帯域幅を使用するように構成されたＵＥ１１５によって利用され得る１つまたは複数のセグメントを含み得る。
【００５４】
[0061]  いくつかの場合には、ｅＣＣが、他のＣＣとは異なるシンボル持続時間を利用し得、それは、他のＣＣのシンボル持続時間と比較して低減されたシンボル持続時間の使用を含み得る。より短いシンボル持続時間が、隣接するサブキャリア間の増加した間隔に関連付けられ得る。ｅＣＣを利用するＵＥ１１５または基地局１０５などのデバイスが、低減されたシンボル持続時間（例えば、１６．６７マイクロ秒）において（例えば、２０、４０、６０、８０ＭＨｚなどのキャリア帯域幅または周波数チャネル帯域幅に従って）広帯域信号を送信し得る。ｅＣＣにおけるＴＴＩが、１つまたはマルチプルのシンボル期間からなり得る。いくつかの場合に、ＴＴＩ持続時間（すなわち、ＴＴＩ中のシンボル期間の数）は可変であり得る。
【００５５】
[0062]  ＮＲシステムなどのワイヤレス通信システムは、とりわけ、認可スペクトル帯域、共有スペクトル帯域、および無認可スペクトル帯域の任意の組合せを利用し得る。ｅＣＣシンボル持続時間およびサブキャリア間隔の柔軟性は、複数のスペクトルにわたるｅＣＣの使用を可能にし得る。いくつかの例では、ＮＲ共有スペクトルが、具体的には、リソースの動的な垂直（例えば、周波数にわたる）および水平（例えば、時間にわたる）共有を通して、スペクトル利用およびスペクトル効率を増加させ得る。
【００５６】
[0063]  いくつかの例では、ＵＥ１１５が、１つまたは複数のパラメータを示し、アップリンク送信のためのＵＬ−ＳＣＨ内のリソースのグラントを含むダウンリンクシグナリング（例えば、ＤＣＩインジケーション、ＲＲＣシグナリング）をサービング基地局１０５から受信し、処理し得る。グラントは、ＵＬ−ＳＣＨ内の１つまたは複数のＲＢにおけるリソース要素のセットがアップリンク送信のためにＵＥ１１５に割り振られることを示し得る。ＵＥ１１５は、次いで、グラントに基づいて、アップリンク送信がＵＣＩのためのものであるかアップリンクデータのためのものであるかを決定し、アップリンク送信がＵＬ−ＳＣＨデータなしのＵＣＩのみのためのものである場合、アップリンク送信のための送信電力を決定し得る。送信電力は、ＵＣＩ送信に関連するスペクトル効率またはＢＰＲＥに基づいて決定され得る。
【００５７】
[0064]  本開示で説明される主題の特定の実施形態が、以下の潜在的な利点をのうちの１つまたは複数を実現するように実施され得る。いくつかの実施形態において、説明される技法は、ＵＥによって、アップリンク送信のためのＵＬ−ＳＣＨの割り振られたアップリンクリソースを示すグラントを受信することであって、割り振られたアップリンクリソースが、ＵＣＩの送信のために割り振られたリソースを含み、他のＵＬ−ＳＣＨ情報の送信のために割り振られたリソースを欠く、受信することと、グラント中で示されるＵＣＩのための変調次数またはコードレートのうちの１つまたは複数に少なくとも部分的に基づいて、ＵＣＩのためのＢＰＲＥの数を識別することと、ＢＰＲＥに少なくとも部分的に基づいて、ＵＣＩの送信のためのアップリンク電力を決定することとをするためのワイヤレス通信の方法として使用され得る。この方法の利点の一例は、例えば、割り振られたアップリンクリソースを使用して送信されるべきデータの量に基づいたアップリンク送信電力の提供によって、基地局におけるＵＣＩの成功した受信のより高い可能性を含み得る。
【００５８】
[0065]  グラント中で示されるコードレートと変調次数との積に少なくとも部分的に基づいてＵＣＩのためのＢＰＲＥを決定することの利点の一例は、割り振られたアップリンクリソースを使用して送信されるべきデータの量に基づくＵＣＩのためのＢＰＲＥの効率的な決定であり、これは、基地局における成功した受信のより高い可能性を提供するのに役立つ。
【００５９】
[0066]  ＢＰＲＥをコードレートの倍数として決定することであって、ここで倍数がグラント中で示される変調次数の関数であることの利点の一例は、割り振られたアップリンクリソースを使用して送信されるべきデータの量に基づくＵＣＩのためのＢＰＲＥの効率的な決定であり、これは、基地局における成功した受信のより高い可能性を提供するのに役立つ。
【００６０】
[0067]  グラント中で示されるＭＣＳとスペクトル効率との間のマッピングに基づいてＢＰＲＥを識別することの利点の一例は、ＵＣＩのためのＢＰＲＥが、割り振られたアップリンクリソースを使用して送信されるべきデータの量に基づいて効率的に決定され得ることであり、これは、基地局における成功した受信のより高い可能性を提供するのに役立つ。いくつかの例において、ＭＣＳは、グラント内のＭＣＳインデックス値として示され、ここで、スペクトル効率は、ＭＣＳインデックス値にマッピングされ、ＵＥがＭＣＳを決定するための効率的でコンパクトな機構を提供する。いくつかの例において、マッピングは、事前構成されたルックアップテーブルにおいて提供され、ＵＥがＭＣＳを決定するための複雑さをさらに低減する。
【００６１】
[0068]  図２は、本開示の様々な態様による、ワイヤレス通信におけるアップリンク制御情報送信のための電力制御技法をサポートするワイヤレス通信システム２００の一例を示す。いくつかの例では、ワイヤレス通信システム２００が、ワイヤレス通信システム１００の態様を実施し得る。例えば、ワイヤレス通信システム２００は、図１を参照して説明した対応するデバイスの例であり得る、ＵＥ１１５−ａと基地局１０５−ａとを含む。ワイヤレス通信システム２００は、ＵＬ−ＳＣＨデータを含まない場合があるＰＵＳＣＨ送信上でＣＳＩをピギーバックすることをサポートし得る。
【００６２】
[0069]  ＵＥ１１５−ａは、基地局１０５−ａと同期され、それにキャンプオンされ得る。一例では、ＵＥ１１５−ａが、基地局１０５−ａとのＲＲＣ接続の確立を開始し得、認可および／または無認可（共有）無線周波数スペクトル帯域リソースを介してダウンリンク送信２０５を受信し、アップリンク送信２１０を送信するように構成され得る。追加のベアラコンテキストは、ＵＥ１１５−ａとサービスネットワークのＰ−ＧＷとの間のエンドツーエンド接続性を確立するために、ＰＤＮ接続性の一部としてＵＥ１１５−ａに割り振られ得る。
【００６３】
[0070]  ＵＥ１１５−ａは、１つまたは複数のアップリンク送信２１０のためのリソース割振りを提供するアップリンクグラントを含み得るＤＣＩ２１５を含むダウンリンク送信２０５を基地局１０５−ａから受信し得る。グラントは、ＯＦＤＭシンボルのセットにまたがり得るアップリンク送信のために割り振られた時間および周波数リソースと、サブキャリアのセットにまたがる帯域幅とを示し得る。一例において、グラントは、アップリンク送信のための１つまたは複数のＲＢのセットを識別し得、ＲＢの各々は、リソース要素のセットを含み得る。各リソース要素は、単一のサブキャリア（例えば、トーン）および単一のＯＦＤＭシンボルに対応し得る。いくつかの場合には、ＵＥ１１５−ａが、グラントを処理して、ＰＵＳＣＨ送信のためのリソース要素のいずれもＵＬ−ＳＣＨデータをトランスポートするために割り振られず、ＰＵＳＣＨ送信がＵＣＩ２２０のみを含むべきであると決定し得る。
【００６４】
[0071]  いくつかの場合に、ＵＣＩ２２０は、いくつかの異なるタイプの情報を有し得る。一例において、ＵＥ１１５−ａは、１つまたは複数のアップリンク送信２１０において、ＨＡＲＱ−ＡＣＫフィードバック、単一のＣＳＩパート、複数のＣＳＩパート、またはそれらの任意の組合せを含み得るＵＣＩ２２０を送信し得る。例えば、ＮＲシステムにおけるＣＳＩは、ＣＳＩパート１およびＣＳＩパート２である２つの異なるパートを有し得る。ＣＳＩを送るとき、ＵＥは、いくつかの例において、常にＣＳＩパート１を送り得、随意に、ＣＳＩパート２またはＣＳＩパート２の部分を送り得る。いくつかの場合に、ＵＣＩ２２０はまた、ビームフォーミングフィードバックにおいて使用され得る位相トラッキング基準信号（ＰＴＲＳ：phase tracking reference signal）を含み得る。
【００６５】
[0072]  いくつかの場合には、ＵＣＩ２２０送信のためのアップリンク送信電力が、ＵＣＩ２２０のためのスペクトル効率またはＢＰＲＥに少なくとも部分的に基づいて決定され得る。いくつかの場合には、ＵＥ１１５−ａがＰＵＳＣＨ送信期間におけるＰＵＳＣＨ送信電力ＰＰＵＳＣＨを決定し得る（例えば、３ＧＰＰ（登録商標）技術仕様３８．２１３において定義されるような）確立された電力制御手順に基づいて、ＵＬ−ＳＣＨデータを含むＰＵＳＣＨ送信のためのアップリンク電力制御が決定され得る。例えば、ＰＵＳＣＨ送信電力は、３ＧＰＰ  ＴＳ３８．２１３の式に基づく電力制御関数に従って設定され得る。
【００６６】
【数１】
2021518709.tif 000003
【００６７】
ここで、
−ＰＣＭＡＸ，ｆ，ｃ（ｉ）は、ＰＵＳＣＨ送信期間ｉにおけるサービングセルｃのキャリアｆのための構成されたＵＥ送信電力である。
−ＰＯ＿ＰＵＳＣＨｂ，ｆ，ｃ（ｊ）は、構成された公称送信電力コンポーネントの和からなるパラメータである。
−αｂ，ｆ，ｃ（ｊ）は、ｊ＝０、αｂ，ｆ，ｃ（０）のときのパラメータであり、ｊ＝１のとき、αｂ，ｆ，ｃ（１）が上位層パラメータによって提供される。
−
【００６８】
【数２】
2021518709.tif 000004
【００６９】
は、サービングセルｃのキャリアｆのＵＬ  ＢＷＰ  ｂ上のＰＵＳＣＨ送信期間ｉのためのＲＢの数で表されるＰＵＳＣＨリソース割当ての帯域幅であり、μは構成された値である。
−ＰＬｂ，ｆ，ｃ（ｑｄ）は、ＵＥによって計算されたｄＢ単位のダウンリンク経路損失推定値である。
−△ＴＦ，ｂ，ｆ，ｃ（ｉ）はパワー調整である。
−ｆｂ，ｆ，ｃ（ｉ，ｌ）は、ＰＵＳＣＨ送信期間ｉおよびサービングセルｃのキャリアｆのＵＬ  ＢＷＰ  ｂのためのＰＵＳＣＨ電力制御調整状態である。
【００７０】
[0073]  この例では、電力制御関数の１つの項が、ΔＴＦ，ｂ，ｆ，ｃ（ｉ）であり、それは、式
【００７１】
【数３】
2021518709.tif 000005
【００７２】
に従って決定され得る。パラメータＫＳは、サービングセルｃおよび各キャリアｆの各ＵＬ  ＢＷＰ  ｂに提供される上位層パラメータ（例えば、３ＧＰＰ  ＴＳ３８．２１３におけるｄｅｌｔａＭＣＳ−Ｅｎａｂｌｅｄ）によって提供され得る。  ＢＰＲＥおよび
【００７３】
【数４】
2021518709.tif 000006
【００７４】
は、各サービングセルｃおよび各キャリアｆの各ＵＬ  ＢＷＰ  ｂについて、以下のように計算される。ＢＰＲＥ＝ＵＬ−ＳＣＨデータを有するＰＵＳＣＨのための
【００７５】
【数５】
2021518709.tif 000007
【００７６】
ここで、
Ｃは、コードブロックの数であり、Ｋｒは、コードブロックｒのサイズであり、ＮＲＥは、ＤＭ−ＲＳ送信に使用されるＲＥを除いて、
【００７７】
【数６】
2021518709.tif 000008
【００７８】
として決定されるリソース要素の数であり、ここで、
【００７９】
【数７】
2021518709.tif 000009
【００８０】
は、サービングセルｃのキャリアｆのＵＬ  ＢＷＰ  ｂ上のＰＵＳＣＨ送信期間ｉのためのシンボルの数であり、
【００８１】
【数８】
2021518709.tif 000010
【００８２】
は、サービングセルｃのキャリアｆのＵＬ  ＢＷＰ  ｂ上のＰＵＳＣＨ送信期間ｉのためのＲＢの数で表されるＰＵＳＣＨリソース割当ての帯域幅であり、ここでＣ、およびＫｒは、ＤＣＩ、ＲＲＣ構成、またはそれらの組合せから決定され得る。さらに、ＰＵＳＣＨがＵＬ−ＳＣＨデータを含むとき、
【００８３】
【数９】
2021518709.tif 000011
【００８４】
である。
【００８５】
[0074]  ＰＵＳＣＨがＵＬ−ＳＣＨデータを含まないいくつかの場合に、ＢＰＲＥおよび
【００８６】
【数１０】
2021518709.tif 000012
【００８７】
は、ＣＲＣビットを含むＣＳＩパート１ビットに基づくが、ＨＡＲＱビットまたはＣＳＩパート２ビットに基づかないなど、異なって設定され得る。そのような場合、対応するＢＰＲＥ決定は、ＨＡＲＱビットおよびＣＳＩパート２ビットのペイロードサイズを考慮（account for）しないアップリンク送信電力をもたらし得、従って、送信されるべきデータの量に対して比較的低く設定され得る。そのような送信電力は、基地局１０５−ａにおけるＵＣＩ２２０の成功した受信のより低い可能性をもたらし得る。
【００８８】
[0075]  本開示の態様によれば、ＵＥは、ＢＰＲＥ、従って対応する項△ＴＦ，ｂ，ｆ，ｃ（ｉ）を、ＣＳＩパート１情報、並びにＵＣＩ２２０において一方または両方が送信されるべきである場合ＣＳＩパート２情報およびＨＡＲＱ情報を含むＵＣＩ２２０に基づいて計算し得る。従って、そのような場合のアップリンク送信電力は、基地局１０５−ａにおける成功した受信のより高い可能性をもたらす送信電力を提供し得る、ＵＣＩ２２０データの一部分でなくその総量に基づいて決定される。いくつかの場合に、ＤＣＩ２１５は、アップリンク送信のための変調次数、コードレート、またはＲＢの数のうちの１つまたは複数を示し得るアップリンクリソース割振りを含み得る。いくつかの場合には、リソース決定が、ＵＬ−ＳＣＨを用いたＰＵＳＣＨ上でのＵＣＩ多重化の場合と同様の方法で決定され得る。いくつかの場合に、ＵＥ１１５−ａは、ＢＰＲＥをコードレートの倍数として設定し得、ここで、倍数は、シグナリングされた変調次数の関数である。いくつかの場合に、ＵＥ１１５−ａは、アップリンクリソース割振りを用いてシグナリングされたＭＣＳフィールドまたはインデックスとＢＰＲＥとの間のマッピング（例えば、ルックアップテーブルにおいて提供される）に基づいて、ＢＰＲＥを識別し得る。さらなる場合に、ＵＥ１１５−ａは、コードレートと、変調次数と、ＵＣＩの送信のために割り振られたＲＢの数とに少なくとも部分的に基づいて、ＵＣＩのためのＴＢＳを計算し得、計算されたＴＢＳとＵＣＩの送信のために使用されるべきリソース要素の数との間の比に基づいてＢＰＲＥを決定し得る。ＵＥは、決定されたＢＰＲＥを使用して、ΔＴＦ，ｂ，ｆ，ｃ（ｉ）を決定し、次いで、上述された電力制御関数に従ってアップリンク送信電力を決定し得る。いくつかの場合に、示されるように、ＵＣＩ２２０は、電力決定のために使用され得る、図３の例において説明されるような、いくつかの異なるタイプの情報を含み得る。
【００８９】
[0076]  図３は、本開示の様々な態様による、ワイヤレス通信におけるＵＣＩ送信のための電力制御技法をサポートする共有チャネルリソース３００を使用して送信されるアップリンク制御情報のための時間および周波数リソースの一例を示す。いくつかの例では、共有チャネルリソース３００を使用して送信されるＵＣＩのための時間および周波数リソースが、ワイヤレス通信システム１００または２００の態様を実施し得る。
【００９０】
[0077]  この例では、アップリンク送信のためにＵＥに割り振られたリソース要素３７０のセットを有するＰＵＳＣＨ３５５を含む送信時間間隔（ＴＴＩ）３０５が示される。ＴＴＩ３０５は、ＯＦＤＭシンボルのセットと、基地局がアップリンク送信のためにＵＥに割り振り得る時間および周波数リソースのセットであるセットサブキャリアとに対応し得る。周波数は上から下に示され、時間は左から右に示される。ＴＴＩ３０５の帯域幅は、基地局が１つまたは複数のＵＥに割り振り得るシステム帯域幅の一部分を表し得る。ＴＴＩ３０５は、時間的に繰り返し得、基地局は、各ＴＴＩ３０５を同じＵＥまたは異なるＵＥに割り振り得る。いくつかの場合に、ＴＴＩ３０５の時間および周波数リソースは、１２個のサブキャリアと１４個のシンボル期間とを含むＲＢに対応し得る。ＴＴＩ３０５の時間および周波数リソースは、他の場合に、他の数のサブキャリアおよび／またはシンボル期間を含み得る。
【００９１】
[0078]  ＴＴＩ３０５の第１のシンボル期間（例えば、最も左の列）は物理ダウンリンク制御チャネル（ＰＤＣＣＨ）３１５であり得、第２のシンボル期間はガード期間３５０であり得る。ＰＤＣＣＨ３１５は、ＵＥにＴＴＩ３０５のＰＵＳＣＨ３５５のリソースを割り振るグラントをトランスポートする、ＤＣＩなどのダウンリンクシグナリングを含み得る。ダウンリンクシグナリングは、例えば、新データインジケータ（ＮＤＩ）、冗長バージョン識別（ＲＶＩＤ）、ＭＣＳ、および他のパラメータを含む１つまたは複数のパラメータをさらに含み得る。ガード期間３５０は、ダウンリンク送信とアップリンク送信との間の干渉を回避することを助けるために、いかなる情報および／またはデータもトランスポートしないことがある。
【００９２】
[0079]  ＰＵＳＣＨ３５５は、ＴＴＩ３０５の第３〜第１４のシンボル期間を含むシンボル期間のセットと、ＰＵＳＣＨ３５５の帯域幅３６５内のサブキャリアのセットとに対応するリソース要素のセットであり得る。図示の例において、ＰＵＳＣＨ３５５は、１４４個のリソース要素３７０を含み、他の例において、他の数のリソース要素を含み得る。ＰＵＳＣＨ３５５において送信されるＵＣＩは、例えば、復調基準信号（ＤＭＲＳ：demodulation reference signal）３２０、ＨＡＲＱ−ＡＣＫ情報３２５、ＣＳＩパート１  ３３０情報、ＣＳＩパート２  ３３５情報、追加のＤＭＲＳ３４０、ＰＴＲＳ３７５、様々なオプション情報３４５、またはそれらの任意の組合せのうちの１つまたは複数を含み得る。ＣＳＩパート１  ３３０は、ＣＳＩパート２  ３３５の前にその全体が送信され得、ＣＳＩパート２  ３３５情報中の情報ビットの数を識別するために使用され得る。ＣＳＩパート１  ３３０は、ＲＩ、ＣＱＩ、およびＣＳＩのためのレイヤごとの非０広帯域増幅係数の数のインジケーションを含み得る。ＣＳＩパート２  ３３５は、いくつかの周波数サブバンドに関係するＣＳＩ情報のためのＣＳＩ情報のいくつかの区分を含み得る。上記で示されたように、本開示の態様によれば、ＵＥは、ＣＳＩパート１  ３３０情報、並びにＣＳＩパート２  ３３５情報およびＨＡＲＱ−ＡＣＫ情報３２５に基づいて、ＢＰＲＥ、従って対応する項△ＴＦ、ｂ、ｆ、ｃ（ｉ）を計算し得る。
【００９３】
[0080]  いくつかの場合に、ＵＥは、ＤＣＩ中で提供されたシグナリングされた変調次数とコードレートとに基づいてＢＰＲＥを以下のように計算し得る。
ＢＰＲＥ＝コードレート×ｆ（変調）。
ここで、ｆ（ＢＰＳＫ）＝１、ｆ（ＱＰＳＫ）＝２、ｆ（１６ＱＡＭ）＝４；ｆ（６４ＱＡＭ）＝６、ｆ（２５６ＱＡＭ）＝８である。
【００９４】
[0081]  他の場合に、変調次数およびコードレートのシグナリングは、ＤＣＩ中のＭＣＳフィールド／インデックスを介する。そのような場合、ＵＥは、以下で説明される図４に示すような定義されたルックアップテーブルを介してＢＰＲＥを決定し得、ＵＥは、ＤＣＩ中のシグナリングされたＭＣＳインデックスを直接介して、ＢＰＲＥまたはスペクトル効率を得るためにルックアップテーブルを使用できる。
【００９５】
[0082]  図４は、本開示の様々な態様による、ワイヤレス通信におけるアップリンク制御情報送信のための電力制御技法をサポートするルックアップテーブル４００の一例を示す。いくつかの例では、ルックアップテーブル４００が、ワイヤレス通信システム１００または２００の態様を実施し得る。
【００９６】
[0083]  この例において、ルックアップテーブル４００は、いくつかのインデックス値ＩＭＣＳを含むＭＣＳインデックス列４０５を含み得る。いくつかの場合に、インデックスは、３２個の異なるＭＣＳインデックスをサポートする５ビット値であり得る。各インデックス値は、対応する変調次数４１０（Ｑｍ）と、ターゲットコードレート値４１５（Ｒ）と、スペクトル効率４２０とを有し得る。従って、ＵＥは、スペクトル効率４２０の値を、対応する項△ＴＦ，ｂ，ｆ，ｃ（ｉ）におけるＢＰＲＥ値として使用し得る。
【００９７】
[0084]  さらなる例では、ＵＥが、ＰＵＳＣＨ送信のためのシグナリングされた変調次数、コードレート、およびＲＢの数に基づいて、（例えば、３ＧＰＰ  ＴＳ３８．２１４セクション６．１．４．２に定義されるような）ＵＬ−ＳＣＨを用いた標準のＰＵＳＣＨ送信のために定義されたＴＢＳ決定の同じ手順に従うことによって、ＵＬ−ＳＣＨなしのＰＵＳＣＨ上のＵＣＩのための、Ｔと示されるＴＢＳを計算し得る。そのようなＴＢＳ決定は、いくつかの場合に、以下のように行われ得る。
−ＵＥは、まず、ＰＲＢ（Ｎ’ＲＥ）内のＰＵＳＣＨのために割り振られたＲＥの数を
【００９８】
【数１１】
2021518709.tif 000013
【００９９】
によって決定し、ここで、
【０１００】
【数１２】
2021518709.tif 000014
【０１０１】
は、物理ＲＢ内の周波数領域におけるサブキャリアの数であり、
【０１０２】
【数１３】
2021518709.tif 000015
【０１０３】
は、スロット内のＰＵＳＣＨ割振りのシンボルの数であり、
【０１０４】
【数１４】
2021518709.tif 000016
【０１０５】
は、ＤＣＩフォーマット０＿０／０＿１によって示されるＤＭ−ＲＳ  ＣＤＭグループのオーバーヘッドを含むスケジュールされた持続時間におけるＰＲＢごとのＤＭ−ＲＳのためのＲＥの数であり、
【０１０６】
【数１５】
2021518709.tif 000017
【０１０７】
は、上位層パラメータによって構成されたオーバーヘッドである。
−ＵＥは、ＮＲＥ＝ｍｉｎ（１５６，Ｎ’ＲＥ）・ｎＰＲＢによってＰＵＳＣＨ（ＮＲＥ）に割り振られたＲＥの総数を決定し、ここで、ｎＰＲＢは、ＵＥのために割り振られるＰＲＢの総数である。
−次いで、ＴＢＳ（Ｔ）は、（例えば、３ＧＰＰ  ＴＳ３８．２１４に記載されているように）予め定義された関数またはＴＢＳサイズのテーブルおよび情報ビットの数に基づいて決定され得る。
【０１０８】
[0085]  次いで、ＵＬ−ＳＣＨなしのＰＵＳＣＨ上でのＵＣＩ多重化のためのＢＰＲＥが、
ＢＰＲＥ＝Ｔ／ＮＲＥ
に基づいて決定され得、
ここで、ＮＲＥ↓は、ＤＭ−ＲＳ送信に使用されるＲＥを除外して
【０１０９】
【数１６】
2021518709.tif 000018
【０１１０】
として決定されるリソース要素の数であり、ここで、
【０１１１】
【数１７】
2021518709.tif 000019
【０１１２】
は、サービングセルｃのキャリアｆのＵＬ  ＢＷＰ  ｂ上のＰＵＳＣＨ送信期間ｉのシンボルの数であり、ここで、
【０１１３】
【数１８】
2021518709.tif 000020
【０１１４】
は、サービングセルｃのキャリアｆのＵＬ  ＢＷＰ  ｂ上のＰＵＳＣＨ送信期間ｉのＲＢの数で表されるＰＵＳＣＨリソース割当ての帯域幅である。
【０１１５】
[0086]  図５は、本開示の様々な態様による、ワイヤレス通信におけるアップリンク制御情報送信のための電力制御技法をサポートするプロセスフロー５００の一例を示す。いくつかの例では、プロセスフロー５００が、ワイヤレス通信システム１００または２００の態様を実施し得る。例えば、プロセスフロー５００は、図１および図２を参照して説明した対応するデバイスの例であり得る、ＵＥ１１５−ｂと基地局１０５−ｂとを含む。
【０１１６】
[0087]  基地局１０５−ｂは、ＵＥ１１５−ｂへのアップリンクリソース割振り送信５０５の一部としてダウンリンクシグナリング（例えば、ＤＣＩ、ＲＲＣシグナリング）を送信し得る。送信５０５は、ＵＬ−ＳＣＨにおけるアップリンク送信のためのリソース割振りを示すグラントを含むＤＣＩを含み得る。リソース割振りは、ＵＥ１１５−ｂがＰＵＳＣＨ送信を送るための時間および周波数リソースのセットに対応し得る。グラントは、アップリンク送信のためのアップリンクパラメータのセットを示し得る。ＵＥ１１５−ｂは、リソースグラントを取得するために送信５０５を受信および処理し得る。いくつかの例において、ＵＥ１１５−ｂは、送信５０５が、ＵＬ−ＳＣＨデータをトランスポートするために、およびアップリンク送信内にＵＣＩのみを含めるために、ＰＵＳＣＨ送信のいかなるリソース要素も割り振らないと決定し得る。
【０１１７】
[0088]  ５１０において、ＵＥ１１５−ｂは、ＵＬ−ＳＣＨなしでＵＣＩのために割り振られたＰＵＳＣＨリソースを識別し得る。そのようなリソースは、基地局１０５−ｂからのＤＣＩ中のリソース割振り情報に基づいて識別され得る。
【０１１８】
[0089]  ５１５において、ＵＥ１１５−ｂは、ＵＣＩのための変調次数およびコードレートを識別し得る。いくつかの場合に、ＵＣＩのためのコードレートは、ＵＣＩのペイロードサイズと、アップリンク送信のためにＵＥ１１５−ｂに割り振られたリソース要素の数とに少なくとも部分的に基づいて決定され得る。いくつかの場合に、ＵＣＩは、ＣＳＩパート１情報、ＣＳＩパート２情報、ＨＡＲＱ−ＡＣＫ情報、またはそれらの任意の組合せを含み得る。
【０１１９】
[0090]  随意に、５２０において、ＵＥ１１５−ｂは、ＵＣＩのために割り振られたＲＢを識別し得る。いくつかの場合に、ＲＢは、ＤＣＩとアップリンクリソース割振りとに基づいて識別され得る。
【０１２０】
[0091]  ５２５において、この例におけるＵＥ１１５−ｂは、ＵＣＩのためのＢＰＲＥを決定し得る。上で論じられたように、ＢＰＲＥは、いくつかの場合に、コードレートの倍数として決定され得、ここで、倍数は、シグナリングされた変調次数の関数である。いくつかの場合に、ＵＥは、ＢＰＲＥと、ＤＣＩを用いてシグナリングされたＭＣＳフィールドまたはインデックスとの間のマッピング（例えば、ルックアップテーブルにおいて提供される）に基づいて、ＢＰＲＥを識別し得る。さらなる場合に、ＵＥは、コードレートと、変調次数と、ＵＣＩの送信のために割り振られたＲＢの数とに少なくとも部分的に基づいて、ＵＣＩのためのＴＢＳ（Ｔ）を計算し得、計算されたＴＢＳとＵＣＩの送信のために使用されるべきリソース要素の数との間の比に基づいてＢＰＲＥを決定し得る。
【０１２１】
[0092]  ５３０において、ＵＥ１１５−ｂは、ＵＣＩ送信のためのアップリンク電力を決定し得る。アップリンク電力は、図２に関して上で論じられたように、決定されたＢＰＲＥを使用して決定され得る。
【０１２２】
[0093]  アップリンク送信電力の決定に続いて、ＵＥ１１５−ｂは、５３５において共有チャネル送信を生成し得る。生成は、追加のコーディングされた変調シグナリング（例えば、ＤＭＲＳ、ＰＴＲＳ、追加のＵＣＩデータペイロード）に関連して、ＣＳＩパート１および随意にＨＡＲＱ−ＡＣＫおよび／またはＣＳＩパート２を、グラントによって割り振られたＰＵＳＣＨのリソースにマッピングすることを含み得る。ＵＥ１１５−ｂは、次いで、ＵＬ−ＳＣＨ上で基地局１０５−ｂにアップリンク送信５４０を送信し得る。いくつかの場合に、ＵＣＩは、位相トラッキング基準信号（ＰＴＲＳ：phase tracking reference signal）を含み得る。
【０１２３】
[0094]  ５４５において、基地局１０５−ｂは、アップリンク送信のためにＵＬ−ＳＣＨを監視し、ＵＣＩを受信するためにＵＬ−ＳＣＨのコード化変調シンボルを復号し得る。
【０１２４】
[0095]  図６は、本開示の態様による、ワイヤレス通信におけるアップリンク制御情報送信のための電力制御技法をサポートするワイヤレスデバイス６０５のブロック図６００を示す。ワイヤレスデバイス６０５は、本明細書で説明されるＵＥ１１５の態様の一例であり得る。ワイヤレスデバイス６０５は、受信機６１０と、通信マネジャ６１５と、送信機６２０とを含み得る。ワイヤレスデバイス６０５はまた、プロセッサを含み得る。これらコンポーネントの各々は、（例えば、１つまたは複数のバスを介して）互いに通信し得る。
【０１２５】
[0096]  受信機６１０は、パケット、ユーザデータ、または様々な情報チャネルに関連する制御情報（例えば、制御チャネル、データチャネル、およびワイヤレス通信におけるＵＣＩ送信のための電力制御技法に関係する情報など）のような情報を受信し得る。情報は、デバイスの他のコンポーネントに渡され得る。受信機６１０は、図９を参照して説明されるトランシーバ９３５の態様の一例であり得る。受信機６１０は、単一のアンテナまたはアンテナのセットを利用し得る。
【０１２６】
[0097]  通信マネジャ６１５は、図９を参照して説明される通信マネジャ９１５の態様の一例であり得る。
【０１２７】
[0098]  通信マネジャ６１５および／またはそれの様々なサブコンポーネントのうちの少なくともいくつかは、ハードウェア、プロセッサによって実行されるソフトウェア、ファームウェア、またはそれらの任意の組合せで実施され得る。プロセッサによって実行されるソフトウェアで実施される場合、通信マネジャ６１５および／またはその様々なサブコンポーネントのうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェアコンポーネント、または本開示で説明される機能を行うように設計されたそれらの任意の組合せによって実行され得る。通信マネジャ６１５および／またはその様々なサブコンポーネントのうちの少なくともいくつかは、機能の一部が１つまたは複数の物理デバイスによって異なる物理ロケーションにおいて実施されるように分散されることを含めて、様々な位置に物理的に配置され得る。いくつかの例では、通信マネジャ６１５および／またはその様々なサブコンポーネントのうちの少なくともいくつかが、本開示の様々な態様による別個の異なるコンポーネントであり得る。他の例では、通信マネジャ６１５および／またはその様々なサブコンポーネントのうちの少なくともいくつかが、限定はしないが、Ｉ／Ｏコンポーネント、トランシーバ、ネットワークサーバ、別のコンピューティングデバイス、本開示で説明される１つまたは複数の他のコンポーネント、または本開示の様々な態様によるそれらの組合せを含む、１つまたは複数の他のハードウェアコンポーネントと組み合わされ得る。
【０１２８】
[0099]  通信マネジャ６１５は、アップリンク送信のためのＵＬ−ＳＣＨの割り振られたアップリンクリソースを示すグラントを受信することであって、割り振られたアップリンクリソースが、ＵＣＩの送信のために割り振られたリソースを含み、他のＵＬ−ＳＣＨ情報の送信のために割り振られたリソースを欠く、受信することと、グラント中で示されるＵＣＩのための変調次数またはコードレートのうちの１つまたは複数に基づいて、ＵＣＩのためのＢＰＲＥの数を識別することと、ＢＰＲＥに基づいて、ＵＣＩの送信のためのアップリンク電力を決定することとを行い得る。追加または代替として、受信機６１０は、同様に、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠き、受信されたグラントを通信マネジャ６１５に通信し得る。さらに、受信された送信は、ＵＬ−ＳＣＨにおけるアップリンク送信のためのリソース割振りを示すグラントを含むＤＣＩを含み得る。リソース割振りは、ＵＥ１１５がＰＵＳＣＨ送信を送るための時間および周波数リソースのセットに対応し得る。グラントは、アップリンク送信のためのアップリンクパラメータのセットを示し得る。ワイヤレスデバイス６０５またはＵＥ１１５は、リソースグラントを取得するために送信を受信および処理し得る。
【０１２９】
[0100]  送信機６２０は、デバイスの他のコンポーネントによって生成された信号を送信し得る。いくつかの例において、送信機６２０は、トランシーバモジュール中で受信機６１０とコロケートされ(collocated)得る。例えば、送信機６２０は、図９を参照して説明されるトランシーバ９３５の態様の一例であり得る。送信機６２０は、単一のアンテナまたはアンテナのセットを利用し得る。
【０１３０】
[0101]  図７は、本開示の態様による、ワイヤレス通信におけるアップリンク制御情報送信のための電力制御技法をサポートするワイヤレスデバイス７０５のブロック図７００を示す。ワイヤレスデバイス７０５は、図６を参照して説明したワイヤレスデバイス６０５またはＵＥ１１５の態様の一例であり得る。ワイヤレスデバイス７０５は、受信機７１０と、通信マネジャ７１５と、送信機７２０とを含み得る。ワイヤレスデバイス７０５はまた、プロセッサを含み得る。これらコンポーネントの各々は、（例えば、１つまたは複数のバスを介して）互いに通信し得る。
【０１３１】
[0102]  受信機７１０は、パケット、ユーザデータ、または様々な情報チャネルに関連する制御情報（例えば、制御チャネル、データチャネル、およびワイヤレス通信におけるＵＣＩ送信のための電力制御技法に関係する情報など）のような情報を受信し得る。情報は、デバイスの他のコンポーネントに渡され得る。受信機７１０は、図９を参照して説明したトランシーバ９３５の態様の一例であり得る。受信機７１０は、単一のアンテナまたはアンテナのセットを利用し得る。追加または代替として、受信機７１０は、同様に、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠き、受信されたグラントを通信マネジャ７１５に通信し得る。さらに、受信された送信は、ＵＬ−ＳＣＨにおけるアップリンク送信のためのリソース割振りを示すグラントを含むＤＣＩを含み得る。リソース割振りは、ＵＥ１１５がＰＵＳＣＨ送信を送るための時間および周波数リソースのセットに対応し得る。グラントは、アップリンク送信のためのアップリンクパラメータのセットを示し得る。ワイヤレスデバイス７０５またはＵＥ１１５は、リソースグラントを取得するために送信を受信および処理し得る。
【０１３２】
[0103]  通信マネジャ７１５は、図９を参照して説明される通信マネジャ９１５の態様の一例であり得る。
【０１３３】
[0104]  通信マネジャ７１５はまた、アップリンクグラントマネジャ７２５と、ＵＣＩコンポーネント７３０と、送信電力コンポーネント７３５とを含み得る。
【０１３４】
[0105]  アップリンクグラントマネジャ７２５は、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠く。
【０１３５】
[0106]  ＵＣＩコンポーネント７３０は、グラント中で示されるＵＣＩのための変調次数またはコードレートのうちの１つまたは複数に基づいて、ＵＣＩのためのＢＰＲＥの数を識別し、グラント中で示されるコードレートと変調次数との積に基づいてＢＰＲＥを決定し、コードレートの倍数としてＢＰＲＥを決定し、ここで、倍数は、グラント中で示される変調次数の関数であり、決定されたアップリンク電力を使用してＵＣＩを送信し得る。いくつかの場合に、ＵＣＩは、肯定応答／否定応答（ＡＣＫ／ＮＡＣＫ）フィードバック情報、または１つまたは複数のＣＳＩパートのうちの１つまたは複数を含む。
【０１３６】
[0107]  送信電力コンポーネント７３５は、ＢＰＲＥに基づいて、ＵＣＩの送信のためのアップリンク電力を決定し得る。いくつかの場合に、送信電力は、図３−４に関して上で論じられたように決定され得るＢＰＲＥに基づいて、図２に関して上で論じられたように決定され得る。
【０１３７】
[0108]  送信機７２０は、デバイスの他のコンポーネントによって生成された信号を送信し得る。いくつかの例において、送信機７２０は、トランシーバモジュール中で受信機７１０とコロケートされ得る。例えば、送信機７２０は、図９を参照して説明されるトランシーバ９３５の態様の一例であり得る。送信機７２０は、単一のアンテナまたはアンテナのセットを利用し得る。追加または代替として、送信機７２０は、同様に、ＵＣＩの送信のために割り振られたリソースを送信し得、受信されたグラントを通信マネジャ７１５に通信し得、決定されたアップリンク電力を使用してＵＣＩをさらに送信し得る。さらに、受信された送信は、ＵＬ−ＳＣＨにおけるアップリンク送信のためのリソース割振りを示すグラントを含むＤＣＩを含み得る。リソース割振りは、ＵＥ１１５が送信機７２０を介してＰＵＳＣＨ送信を送るための時間および周波数リソースのセットに対応し得る。グラントは、アップリンク送信のためのアップリンクパラメータのセットを示し得る。
【０１３８】
[0109]  図８は、本開示の態様による、ワイヤレス通信におけるアップリンク制御情報送信のための電力制御技法をサポートする通信マネジャ８１５のブロック図８００を示す。通信マネジャ８１５は、図６、図７、および図９を参照して説明される通信マネジャ６１５、通信マネジャ７１５、または通信マネジャ９１５の態様の一例であり得る。通信マネジャ８１５は、アップリンクグラントマネジャ８２０、ＵＣＩコンポーネント８２５、送信電力コンポーネント８３０、マッピングコンポーネント８３５、ＴＢＳコンポーネント８４０、およびＲＢ識別コンポーネント８４５を含み得る。これらモジュールの各々は、（例えば、１つまたは複数のバスを介して）互いに直接または間接的に通信し得る。
【０１３９】
[0110]  アップリンクグラントマネジャ８２０は、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠く。アップリンクグラントマネジャ８２０は、本明細書で論じられるようにモバイルデバイスまたはＵＥ１１５のコンポーネントであり得る。追加または代替として、ＵＥ１１５の一部であり得る受信機は、グラントを受信し、アップリンクグラントマネジャ８２０によって受信されるように通信マネジャ８１５にグラントを送り得る。
【０１４０】
[0111]  ＵＣＩコンポーネント８２５は、グラント中で示されるＵＣＩのための変調次数またはコードレートのうちの１つまたは複数に基づいて、ＵＣＩのためのＢＰＲＥの数を識別し、グラント中で示されるコードレートと変調次数との積に基づいてＢＰＲＥを決定し、コードレートの倍数としてＢＰＲＥを決定し、ここで、倍数は、グラント中で示される変調次数の関数であり、決定されたアップリンク電力を使用してＵＣＩを送信し得る。いくつかの場合に、ＵＣＩは、肯定応答／否定応答（ＡＣＫ／ＮＡＣＫ）フィードバック情報、または１つまたは複数のＣＳＩパートのうちの１つまたは複数を含む。ＵＣＩコンポーネント８２５は、本明細書で論じられるようにモバイルデバイスまたはＵＥ１１５の一部として含まれ得る。追加または代替として、ＵＥ１１５の一部であり得る送信機は、通信マネジャ８１５からグラントを受信し、グラント中で示されるＵＣＩを送信し得る。
【０１４１】
[0112]  送信電力コンポーネント８３０は、ＢＰＲＥに基づいて、ＵＣＩの送信のためのアップリンク電力を決定し得る。いくつかの場合に、送信電力は、図３〜図４に関して上で論じられたように決定され得るＢＰＲＥに基づいて、図２に関して上で論じられたように決定され得る。
【０１４２】
[0113]  マッピングコンポーネント８３５は、グラント中で示されるＭＣＳとスペクトル効率との間のマッピングに基づいてＢＰＲＥを識別し得る。いくつかの場合に、ＭＣＳは、グラント内のＭＣＳインデックス値として示され、スペクトル効率は、ＭＣＳインデックス値にマッピングされる。いくつかの場合に、マッピングは、図４に関して論じられたように、事前構成されたルックアップテーブルにおいて提供される。
【０１４３】
[0114]  ＴＢＳコンポーネント８４０は、コードレートと、変調次数と、ＵＣＩの送信のために割り振られたＲＢの数とに基づいて、ＵＣＩの送信のためのＴＢＳを計算し、計算されたＴＢＳとＵＣＩの送信のために使用されるべきリソース要素の数との間の比に基づいてＢＰＲＥを決定し得る。いくつかの場合に、ＢＰＲＥは、ＴＢＳをリソース要素の数で除算することによって決定される。いくつかの場合に、リソース要素の数は、グラント中で示されるＲＢの数と、ＵＣＩの送信のための送信期間中のシンボルの数とに基づいて決定される。いくつかの場合に、ＴＢＳは、図４に関して上で論じられたように、他のＵＬ−ＳＣＨ情報の送信のために割り振られたリソースを有するＵＬ−ＳＣＨ送信のための事前構成されたＴＢＳ計算手順に従って決定される。
【０１４４】
[0115]  ＲＢ識別コンポーネント８４５は、グラント中で示されるＵＣＩの送信のためのＲＢの数を識別し、ＲＢの数、コードレート、および変調次数にさらに基づいてＢＰＲＥを決定し得る。
【０１４５】
[0116]  図９は、本開示の態様による、ワイヤレス通信におけるアップリンク制御情報送信のための電力制御技法をサポートするデバイス９０５を含むシステム９００の図を示す。デバイス９０５は、例えば、図６および図７を参照して上述されたワイヤレスデバイス６０５、ワイヤレスデバイス７０５、またはＵＥ１１５のコンポーネントの一例であり得るか、またはそれらを含み得る。デバイス９０５は、通信マネジャ９１５、プロセッサ９２０、メモリ９２５、ソフトウェア９３０、トランシーバ９３５、アンテナ９４０、およびＩ／Ｏコントローラ９４５を含む、通信を送信および受信するためのコンポーネントを含む、双方向音声およびデータ通信のためのコンポーネントを含み得る。これらコンポーネントは、１つまたは複数のバス（例えば、バス９１０）を介して電子通信し得る。デバイス９０５は、１つまたは複数の基地局１０５とワイヤレスに通信し得る。
【０１４６】
[0117]  プロセッサ９２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブル論理デバイス、ディスクリートゲートもしくはトランジスタ論理コンポーネント、ディスクリートハードウェアコンポーネント、またはそれらの任意の組合せ）を含み得る。いくつかの場合には、プロセッサ９２０が、メモリコントローラを使用してメモリアレイを動作させるように構成され得る。他の場合には、メモリコントローラが、プロセッサ９２０に統合され得る。プロセッサ９２０は、様々な機能（例えば、ワイヤレス通信におけるＵＣＩ送信のための電力制御技法をサポートする機能またはタスク）を行うために、メモリに記憶されたコンピュータ可読命令を実行するように構成され得る。
【０１４７】
[0118]  メモリ９２５は、ランダムアクセスメモリ（ＲＡＭ）と読み取り専用メモリ（ＲＯＭ）とを含み得る。メモリ９２５は、実行されると、プロセッサに本明細書で説明される様々な機能を行わせる命令を含むコンピュータ可読、コンピュータ実行可能ソフトウェア９３０を記憶し得る。いくつかの場合に、メモリ９２５は、とりわけ、周辺コンポーネントまたはデバイスとの相互作用などの基本ハードウェアまたはソフトウェア動作を制御し得る基本入出力システム（ＢＩＯＳ）を含み得る。
【０１４８】
[0119]  ソフトウェア９３０は、ワイヤレス通信におけるＵＣＩ送信のための電力制御技法をサポートするためのコードを含む、本開示の態様を実施するためのコードを含み得る。ソフトウェア９３０は、システムメモリまたは他のメモリなどの非一時的コンピュータ可読媒体に記憶され得る。いくつかの場合に、ソフトウェア９３０は、プロセッサによって直接実行可能でないことがあるが、（例えば、コンパイルされ実行されると）コンピュータに本明細書で説明される機能を行わせ得る。
【０１４９】
[0120]  トランシーバ９３５は、上述されたように、１つまたは複数のアンテナ、ワイヤードリンク、またはワイヤレスリンクを介して双方向に通信し得る。例えば、トランシーバ９３５は、ワイヤレストランシーバを表し得、別のワイヤレストランシーバと双方向に通信し得る。トランシーバ９３５はまた、パケットを変調し、変調されたパケットを送信のためにアンテナに提供し、アンテナから受信されたパケットを復調するためのモデムを含み得る。いくつかの例では、通信マネジャ９１５が、トランシーバ９３５も含み得る、ワイヤレスのトランスミッタのコンポーネントであり得る。
【０１５０】
[0121]  いくつかの場合に、ワイヤレスデバイスは単一のアンテナ９４０を含み得る。しかしながら、いくつかの場合に、デバイスは、複数のワイヤレス送信を同時に送信または受信することが可能であり得る２つ以上のアンテナ９４０を有し得る。
【０１５１】
[0122]  Ｉ／Ｏコントローラ９４５は、デバイス９０５のための入力および出力信号を管理し得る。Ｉ／Ｏコントローラ９４５はまた、デバイス９０５に統合されていない周辺機器を管理し得る。いくつかの場合には、Ｉ／Ｏコントローラ９４５は、外部周辺機器への物理的接続またはポートを表し得る。いくつかの場合には、Ｉ／Ｏコントローラ９４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムなどのオペレーティングシステムを利用し得る。他の場合には、Ｉ／Ｏコントローラ９４５は、モデム、キーボード、マウス、タッチスクリーン、または同様のデバイスを表すか、またはそれらと相互作用できる。いくつかの場合には、Ｉ／Ｏコントローラ９４５は、プロセッサの一部として実施されてもよい。いくつかの場合には、ユーザは、Ｉ／Ｏコントローラ９４５を介して、またはＩ／Ｏコントローラ９４５によって制御されるハードウェアコンポーネントを介して、デバイス９０５と相互作用できる。
【０１５２】
[0123]  図１０は、本開示の態様による、ワイヤレス通信におけるアップリンク制御情報送信のための電力制御技法のための方法１０００を示すフローチャートを示す。方法１０００の動作は、本明細書で説明されるようなＵＥ１１５またはそれのコンポーネントによって実施され得る。例えば、方法１０００の動作は、図６〜図９を参照して説明されたように、通信マネジャによって行われ得る。いくつかの例では、ＵＥ１１５が、以下で説明される機能を行うようにデバイスの機能要素を制御するためのコードのセットを実行し得る。追加または代替として、ＵＥ１１５は、専用ハードウェアを使用して、以下で説明される機能の態様を行い得る。
【０１５３】
[0124]  １００５において、ＵＥ１１５は、ＵＥによって、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠く。１００５の動作は、本明細書で説明される方法に従って行われ得る。ある特定の例では、１００５の動作の態様が、図６〜図９を参照して説明されたように、アップリンクグラントマネジャによって行われ得る。いくつかの例において、ＵＥ１１５は、本明細書で説明されるワイヤレスデバイス６０５、７０５、または９１５であり得、ＵＥは、それぞれ通信マネジャ６１５、７１５、もしくは９１５、または通信マネジャ８１５においてグラントを受信し得る。グラントはまた、通信マネジャ７１５のアップリンクグラントマネジャ７２５または通信マネジャ８１５のアップリンクグラントマネジャ８２０において受信され得る。追加または代替として、受信機６１０、受信機７１０、またはトランシーバ９３５は、アンテナ９４０を介して、グラントを受信し、それぞれ通信マネジャ６１５、７１５、または９１５にグラントを送り得る。
【０１５４】
[0125]  １０１０において、ＵＥ１１５は、グラント中で示されるＵＣＩのための変調次数またはコードレートのうちの１つまたは複数に少なくとも部分的に基づいて、ＵＣＩのためのＢＰＲＥの数を識別し得る。１０１０の動作は、本明細書で説明される方法に従って行われ得る。ある特定の例では、１０１０の動作の態様が、図６〜図９を参照して説明されたように、ＵＣＩコンポーネントによって行われ得る。
【０１５５】
[0126]  １０１５において、ＵＥ１１５は、ＢＰＲＥに少なくとも部分的に基づいて、ＵＣＩの送信のためのアップリンク電力を決定し得る。１０１５の動作は、本明細書で説明される方法に従って行われ得る。ある特定の例では、１０１５の動作の態様が、図６〜図９を参照して説明されたように、送信電力コンポーネントによって行われ得る。
【０１５６】
[0127]  図１１は、本開示の態様による、ワイヤレス通信におけるアップリンク制御情報送信のための電力制御技法のための方法１１００を示すフローチャートを示す。方法１１００の動作は、本明細書で説明されるようなＵＥ１１５またはそれのコンポーネントによって実施され得る。例えば、方法１１００の動作は、図６〜図９を参照して説明されたように、通信マネジャによって行われ得る。いくつかの例では、ＵＥ１１５が、以下で説明される機能を行うようにデバイスの機能要素を制御するためのコードのセットを実行し得る。追加または代替として、ＵＥ１１５は、専用ハードウェアを使用して、以下で説明される機能の態様を行い得る。
【０１５７】
[0128]  １１０５において、ＵＥ１１５は、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠く。１１０５の動作は、本明細書で説明される方法に従って行われ得る。ある特定の例では、１１０５の動作の態様が、図６〜図９を参照して説明されたように、アップリンクグラントマネジャによって行われ得る。いくつかの例において、ＵＥ１１５は、本明細書で説明されるワイヤレスデバイス６０５、７０５、または９１５であり得、ＵＥは、それぞれ通信マネジャ６１５、７１５、もしくは９１５、または通信マネジャ８１５においてグラントを受信し得る。グラントはまた、通信マネジャ７１５のアップリンクグラントマネジャ７２５または通信マネジャ８１５のアップリンクグラントマネジャ８２０において受信され得る。追加または代替として、受信機６１０、受信機７１０、またはトランシーバ９３５は、アンテナ９４０を介して、グラントを受信し、それぞれ通信マネジャ６１５、７１５、または９１５にグラントを送り得る。
【０１５８】
[0129]  １１１０において、ＵＥ１１５は、グラント中で示されるＵＣＩのための変調次数またはコードレートのうちの１つまたは複数を識別し得る。１１１０の動作は、本明細書で説明される方法に従って行われ得る。ある特定の例では、１１１０の動作の態様が、図６〜図９を参照して説明されたように、ＵＣＩコンポーネントによって行われ得る。
【０１５９】
[0130]  １１１５において、ＵＥ１１５は、グラント中で示されるコードレートと変調次数との積に少なくとも部分的に基づいてＢＰＲＥを決定し得る。１１１５の動作は、本明細書で説明される方法に従って行われ得る。ある特定の例では、１１１５の動作の態様が、図６〜図９を参照して説明されたように、ＵＣＩコンポーネントによって行われ得る。
【０１６０】
[0131]  １１２０において、ＵＥ１１５は、ＢＰＲＥに少なくとも部分的に基づいて、ＵＣＩの送信のためのアップリンク電力を決定し得る。１１２０の動作は、本明細書で説明される方法に従って行われ得る。ある特定の例では、１１２０の動作の態様が、図６〜図９を参照して説明されたように、送信電力コンポーネントによって行われ得る。
【０１６１】
[0132]  図１２は、本開示の態様による、ワイヤレス通信におけるアップリンク制御情報送信のための電力制御技法のための方法１２００を示すフローチャートを示す。方法１２００の動作は、本明細書で説明されるようなＵＥ１１５またはそれのコンポーネントによって実施され得る。例えば、方法１２００の動作は、図６〜図９を参照して説明されたように、通信マネジャによって行われ得る。いくつかの例では、ＵＥ１１５が、以下で説明される機能を行うようにデバイスの機能要素を制御するためのコードのセットを実行し得る。追加または代替として、ＵＥ１１５は、専用ハードウェアを使用して、以下で説明される機能の態様を行い得る。
【０１６２】
[0133]  １２０５において、ＵＥ１１５は、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠く。１２０５の動作は、本明細書で説明される方法に従って行われ得る。ある特定の例では、１２０５の動作の態様が、図６〜図９を参照して説明されたように、アップリンクグラントマネジャによって行われ得る。いくつかの例では、ＵＥ１１５は、本明細書で説明されるワイヤレスデバイス６０５、７０５、または９１５であり得、ＵＥは、それぞれ通信マネジャ６１５、７１５、もしくは９１５、または通信マネジャ８１５においてグラントを受信し得る。グラントはまた、通信マネジャ７１５のアップリンクグラントマネジャ７２５または通信マネジャ８１５のアップリンクグラントマネジャ８２０において受信され得る。追加または代替として、受信機６１０、受信機７１０、またはトランシーバ９３５は、アンテナ９４０を介して、グラントを受信し、それぞれ通信マネジャ６１５、７１５、または９１５にグラントを送り得る。
【０１６３】
[0134]  １２１０において、ＵＥ１１５は、グラント中で示されるＵＣＩのための変調次数またはコードレートのうちの１つまたは複数を識別し得る。１２１０の動作は、本明細書で説明される方法に従って行われ得る。ある特定の例では、１２１０の動作の態様が、図６〜図９を参照して説明されたように、ＵＣＩコンポーネントによって行われ得る。
【０１６４】
[0135]  １２１５において、ＵＥ１１５は、ＢＰＲＥをコードレートの倍数として決定し得、ここにおいて、倍数は、グラント中で示される変調次数の関数である。１２１５の動作は、本明細書で説明される方法に従って行われ得る。ある特定の例では、１２１５の動作の態様が、図６〜図９を参照して説明されたように、ＵＣＩコンポーネントによって行われ得る。
【０１６５】
[0136]  １２２０において、ＵＥ１１５は、ＢＰＲＥに少なくとも部分的に基づいて、ＵＣＩの送信のためのアップリンク電力を決定し得る。１２２０の動作は、本明細書で説明される方法に従って行われ得る。ある特定の例では、１２２０の動作の態様が、図６〜図９を参照して説明されたように、送信電力コンポーネントによって行われ得る。
【０１６６】
[0137]  図１３は、本開示の態様による、ワイヤレス通信におけるアップリンク制御情報送信のための電力制御技法のための方法１３００を示すフローチャートを示す。方法１３００の動作は、本明細書で説明されるようなＵＥ１１５またはそれのコンポーネントによって実施され得る。例えば、方法１３００の動作は、図６〜図９を参照して説明されたように、通信マネジャによって行われ得る。いくつかの例では、ＵＥ１１５が、以下で説明される機能を行うようにデバイスの機能要素を制御するためのコードのセットを実行し得る。追加または代替として、ＵＥ１１５は、専用ハードウェアを使用して、以下で説明される機能の態様を行い得る。
【０１６７】
[0138]  １３０５において、ＵＥ１１５は、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠く。１３０５の動作は、本明細書で説明される方法に従って行われ得る。ある特定の例では、１３０５の動作の態様が、図６〜図９を参照して説明されたように、アップリンクグラントマネジャによって行われ得る。いくつかの例において、ＵＥ１１５は、本明細書で説明されるワイヤレスデバイス６０５、７０５、または９１５であり得、ＵＥは、それぞれ通信マネジャ６１５、７１５、もしくは９１５、または通信マネジャ８１５においてグラントを受信し得る。グラントはまた、通信マネジャ７１５のアップリンクグラントマネジャ７２５または通信マネジャ８１５のアップリンクグラントマネジャ８２０において受信され得る。追加または代替として、受信機６１０、受信機７１０、またはトランシーバ９３５は、アンテナ９４０を介して、グラントを受信し、それぞれ通信マネジャ６１５、７１５、または９１５にグラントを送り得る。
【０１６８】
[0139]  １３１０において、ＵＥ１１５は、グラント中で示されるＭＣＳとスペクトル効率との間のマッピングに少なくとも部分的に基づいてＢＰＲＥを識別し得る。１３１０の動作は、本明細書で説明される方法に従って行われ得る。ある特定の例では、１３１０の動作の態様が、図６〜図９を参照して説明されたように、マッピングコンポーネントによって行われ得る。
【０１６９】
[0140]  １３１５において、ＵＥ１１５は、ＢＰＲＥに少なくとも部分的に基づいて、ＵＣＩの送信のためのアップリンク電力を決定し得る。１３１５の動作は、本明細書で説明される方法に従って行われ得る。ある特定の例では、１３１５の動作の態様が、図６〜図９を参照して説明されたように、送信電力コンポーネントによって行われ得る。いくつかの場合に、ＭＣＳは、グラント内のＭＣＳインデックス値として示され、スペクトル効率は、ＭＣＳインデックス値にマッピングされる。いくつかの場合に、マッピングは、事前構成されたルックアップテーブルにおいて提供される。
【０１７０】
[0141]  図１４は、本開示の態様による、ワイヤレス通信におけるアップリンク制御情報送信のための電力制御技法のための方法１４００を示すフローチャートを示す。方法１４００の動作は、本明細書で説明されるようなＵＥ１１５またはそれのコンポーネントによって実施され得る。例えば、方法１４００の動作は、図６〜図９を参照して説明されたように、通信マネジャによって行われ得る。いくつかの例では、ＵＥ１１５が、以下で説明される機能を行うようにデバイスの機能要素を制御するためのコードのセットを実行し得る。追加または代替として、ＵＥ１１５は、専用ハードウェアを使用して、以下で説明される機能の態様を行い得る。
【０１７１】
[0142]  １４０５において、ＵＥ１１５は、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠く。１４０５の動作は、本明細書で説明される方法に従って行われ得る。ある特定の例では、１４０５の動作の態様が、図６〜図９を参照して説明されたように、アップリンクグラントマネジャによって行われ得る。いくつかの例において、ＵＥ１１５は、本明細書で説明されるワイヤレスデバイス６０５、７０５、または９１５であり得、ＵＥは、それぞれ通信マネジャ６１５、７１５、もしくは９１５、または通信マネジャ８１５においてグラントを受信し得る。グラントはまた、通信マネジャ７１５のアップリンクグラントマネジャ７２５または通信マネジャ８１５のアップリンクグラントマネジャ８２０において受信され得る。追加または代替として、受信機６１０、受信機７１０、またはトランシーバ９３５は、アンテナ９４０を介して、グラントを受信し、それぞれ通信マネジャ６１５、７１５、または９１５にグラントを送り得る。
【０１７２】
[0143]  １４１０において、ＵＥ１１５は、グラント中で示されるＵＣＩのための変調次数またはコードレートのうちの１つまたは複数を識別し得る。１４１０の動作は、本明細書で説明される方法に従って行われ得る。ある特定の例では、１４１０の動作の態様が、図６〜図９を参照して説明されたように、ＵＣＩコンポーネントによって行われ得る。
【０１７３】
[0144]  １４１５において、ＵＥ１１５は、コードレート、変調次数、およびＵＣＩの送信のために割り振られたＲＢの数に少なくとも部分的に基づいて、ＵＣＩの送信のためのＴＢＳを計算し得る。１４１５の動作は、本明細書で説明される方法に従って行われ得る。ある特定の例では、１４１５の動作の態様が、図６〜図９を参照して説明されたように、ＴＢＳコンポーネントによって行われ得る。
【０１７４】
[0145]  １４２０において、ＵＥ１１５は、計算されたＴＢＳとＵＣＩの送信のために使用されるべきリソース要素の数との間の比に基づいてＢＰＲＥを決定し得る。１４２０の動作は、本明細書で説明される方法に従って行われ得る。ある特定の例では、１４２０の動作の態様は、図６〜図９を参照して説明されたように、ＴＢＳコンポーネントによって行われ得る。
【０１７５】
[0146]  １４２５において、ＵＥ１１５は、ＢＰＲＥに少なくとも部分的に基づいて、ＵＣＩの送信のためのアップリンク電力を決定し得る。１４２５の動作は、本明細書で説明される方法に従って行われ得る。ある特定の例では、１４２５の動作の態様が、図６〜図９を参照して説明されたように、送信電力コンポーネントによって行われ得る。
【０１７６】
[0147]  図１５は、本開示の態様による、ワイヤレス通信におけるアップリンク制御情報送信のための電力制御技法のための方法１５００を示すフローチャートを示す。方法１５００の動作は、本明細書で説明されるようなＵＥ１１５またはそれのコンポーネントによって実施され得る。例えば、方法１５００の動作は、図６〜図９を参照して説明されたように、通信マネジャによって行われ得る。いくつかの例では、ＵＥ１１５が、以下で説明される機能を行うようにデバイスの機能要素を制御するためのコードのセットを実行し得る。追加または代替として、ＵＥ１１５は、専用ハードウェアを使用して、以下で説明される機能の態様を行い得る。
【０１７７】
[0148]  １５０５において、ＵＥ１１５は、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠く。１５０５の動作は、本明細書で説明される方法に従って行われ得る。ある特定の例では、１５０５の動作の態様が、図６〜図９を参照して説明されたように、アップリンクグラントマネジャによって行われ得る。いくつかの例において、ＵＥ１１５は、本明細書で説明されるワイヤレスデバイス６０５、７０５、または９１５であり得、ＵＥは、それぞれ通信マネジャ６１５、７１５、もしくは９１５、または通信マネジャ８１５においてグラントを受信し得る。グラントはまた、通信マネジャ７１５のアップリンクグラントマネジャ７２５または通信マネジャ８１５のアップリンクグラントマネジャ８２０において受信され得る。追加または代替として、受信機６１０、受信機７１０、またはトランシーバ９３５は、アンテナ９４０を介して、グラントを受信し、それぞれ通信マネジャ６１５、７１５、または９１５にグラントを送り得る。
【０１７８】
[0149]  １５１０において、ＵＥ１１５は、グラント中で示されるＵＣＩの送信のためのＲＢの数を識別し得る。１５１０の動作は、本明細書で説明される方法に従って行われ得る。ある特定の例では、１５１０の動作の態様が、図６〜図９を参照して説明されたように、ＲＢ識別コンポーネントによって行われ得る。
【０１７９】
[0150]  １５１５において、ＵＥ１１５は、グラント中で示されるＵＣＩのための変調次数またはコードレートのうちの１つまたは複数を識別し得る。１５１５の動作は、本明細書で説明される方法に従って行われ得る。ある特定の例では、１５１５の動作の態様が、図６〜図９を参照して説明されたように、ＵＣＩコンポーネントによって行われ得る。
【０１８０】
[0151]  １５２０において、ＵＥ１１５は、ＲＢの数、コードレート、および変調次数にさらに少なくとも部分的に基づいて、ＢＰＲＥを決定し得る。１５２０の動作は、本明細書で説明される方法に従って行われ得る。ある特定の例では、１５２０の動作の態様が、図６〜図９を参照して説明されたように、ＲＢ識別コンポーネントによって行われ得る。
【０１８１】
[0152]  １５２５において、ＵＥ１１５は、ＢＰＲＥに少なくとも部分的に基づいて、ＵＣＩの送信のためのアップリンク電力を決定し得る。１５２５の動作は、本明細書で説明される方法に従って行われ得る。ある特定の例では、１５２５の動作の態様が、図６〜図９を参照して説明されたように、送信電力コンポーネントによって行われ得る。
【０１８２】
[0153]  図１６は、本開示の態様による、ワイヤレス通信におけるアップリンク制御情報送信のための電力制御技法のための方法１６００を示すフローチャートを示す。方法１６００の動作は、本明細書で説明されるようなＵＥ１１５またはそれのコンポーネントによって実施され得る。例えば、方法１６００の動作は、図６〜図９を参照して説明されたように、通信マネジャによって行われ得る。いくつかの例では、ＵＥ１１５が、以下で説明される機能を行うようにデバイスの機能要素を制御するためのコードのセットを実行し得る。追加または代替として、ＵＥ１１５は、専用ハードウェアを使用して、以下で説明される機能の態様を行い得る。
【０１８３】
[0154]  １６０５において、ＵＥ１１５は、アップリンク送信のためのＵＬ−ＳＣＨの割り振られたアップリンクリソースを示すグラントを受信し得、割り振られたアップリンクリソースは、ＵＣＩの送信のために割り振られたリソースを含み、他のＵＬ−ＳＣＨ情報の送信のために割り振られたリソースを欠く。１６０５の動作は、本明細書で説明される方法に従って行われ得る。ある特定の例では、１６０５の動作の態様が、図６〜図９を参照して説明されたように、アップリンクグラントマネジャによって行われ得る。いくつかの例において、ＵＥ１１５は、本明細書で説明されるワイヤレスデバイス６０５、７０５、または９１５であり得、ＵＥは、それぞれ通信マネジャ６１５、７１５、もしくは９１５、または通信マネジャ８１５においてグラントを受信し得る。グラントはまた、通信マネジャ７１５のアップリンクグラントマネジャ７２５または通信マネジャ８１５のアップリンクグラントマネジャ８２０において受信され得る。追加または代替として、受信機６１０、受信機７１０、またはトランシーバ９３５は、アンテナ９４０を介して、グラントを受信し、それぞれ通信マネジャ６１５、７１５、または９１５にグラントを送り得る。
【０１８４】
[0155]  １６１０において、ＵＥ１１５は、グラント中で示されるＵＣＩのための変調次数またはコードレートのうちの１つまたは複数に少なくとも部分的に基づいて、ＵＣＩのためのＢＰＲＥの数を識別し得る。１６１０の動作は、本明細書で説明される方法に従って行われ得る。ある特定の例では、１６１０の動作の態様が、図６〜図９を参照して説明されたように、ＵＣＩコンポーネントによって行われ得る。
【０１８５】
[0156]  １６１５において、ＵＥ１１５は、ＢＰＲＥに少なくとも部分的に基づいて、ＵＣＩの送信のためのアップリンク電力を決定し得る。１６１５の動作は、本明細書で説明される方法に従って行われ得る。ある特定の例では、１６１５の動作の態様が、図６〜図９を参照して説明されたように、送信電力コンポーネントによって行われ得る。
【０１８６】
[0157]  １６２０において、ＵＥ１１５は、決定されたアップリンク電力を使用してＵＣＩを送信し得る。１６２０の動作は、本明細書で説明される方法に従って行われ得る。ある特定の例では、１６２０の動作の態様が、図６〜図９を参照して説明されたように、ＵＣＩコンポーネントによって行われ得る。いくつかの場合に、ＵＣＩは、肯定応答／否定応答（ＡＣＫ／ＮＡＣＫ）フィードバック情報、または１つまたは複数のチャネル状態情報（ＣＳＩ）部分のうちの１つまたは複数を含む。いくつかの例において、ＵＥ１１５は、本明細書で説明されるワイヤレスデバイス６０５、７０５、または９１５であり得、ＵＥは、それぞれ通信マネジャ６１５、７１５、もしくは９１５、または通信マネジャ８１５からＵＣＩグラントを送信し得る。ＵＣＩはまた、通信マネジャ７１５のＵＣＩコンポーネント７３０または通信マネジャ８１５のＵＣＩコンポーネント８２５によって送信され得る。追加または代替として、送信機６２０、送信機７２０、またはトランシーバ９３５は、アンテナ９４０を介して、それぞれ通信マネジャ６１５、７１５、または９１５からＵＣＩを受信し、ＵＣＩを送信し得る。
【０１８７】
[0158]  上述された方法は可能性のある実施形態を説明されるものであること、並びに動作およびステップは再配置または他の方法で修正され得ること、および他の実施形態が可能であることに留意されたい。さらに、これら方法のうちの２つ以上からの態様は、組み合わせられ得る。
【０１８８】
[0159]  ここに説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）、および他のシステムのような様々なワイヤレス通信システムのために使用され得る。ＣＤＭＡシステムが、ＣＤＭＡ２０００、ユニバーサル地上波無線アクセス（ＵＴＲＡ：Universal Terrestrial Radio Access）等のような無線技術を実施し得る。ＣＤＭＡ２０００は、ＩＳ−２０００、ＩＳ−９５、およびＩＳ−８５６規格をカバーする。ＩＳ−２０００リリースが、通常ＣＤＭＡ２０００  １Ｘ、１Ｘ等と呼ばれ得る。ＩＳ−８５６（ＴＩＡ−８５６）が、通常ＣＤＭＡ２０００  １ｘＥＶ−ＤＯ、高レートパケットデータ（ＨＲＰＤ：High Rate Packet Data）等と呼ばれる。ＵＴＲＡは、ワイドバンドＣＤＭＡ（ＷＣＤＭＡ（登録商標））およびＣＤＭＡの他の変形を含む。ＴＤＭＡシステムが、移動体通信のためのグローバルシステム（ＧＳＭ（登録商標））のような無線技術を実施し得る。
【０１８９】
[0160]  ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュＯＦＤＭなどの無線技術を実施し得る。ＵＴＲＡおよびＥ−ＵＴＲＡは、ユニバーサルモバイル電気通信システム（ＵＭＴＳ：Universal Mobile Telecommunications System）の一部である。ＬＴＥ、ＬＴＥ−Ａ、およびＬＴＥ−Ａ  Ｐｒｏは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａ  Ｐｒｏ、ＮＲ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）と名付けられた組織からの文書に説明されている。ここに説明された技法は、上述されたシステムおよび無線技術、並びに他のシステムおよび無線技術のために使用され得る。ＬＴＥ、ＬＴＥ−Ａ、ＬＴＥ−Ａ  Ｐｒｏ、またはＮＲシステムの態様が例として説明され得、説明の大部分においてＬＴＥ、ＬＴＥ−Ａ、ＬＴＥ−Ａ  Ｐｒｏ、またはＮＲ用語が使用され得るが、本明細書で説明される技法は、ＬＴＥ、ＬＴＥ−Ａ、ＬＴＥ−Ａ  Ｐｒｏ、またはＮＲ適用例を超えて適用可能である。
【０１９０】
[0161]  マクロセルは、概して、比較的大きい地理的エリア（例えば、半径数キロメートル）をカバーし、ネットワークプロバイダのサービスに加入しているＵＥ１１５による無制限アクセスを可能にし得る。スモールセルが、マクロセルと比較して、より低い電力の基地局１０５に関連付けられ得、スモールセルが、マクロセルと同じまたは異なる（例えば、認可、無認可など）周波数帯域において動作し得る。スモールセルは、様々な例に従って、ピコセル、フェムトセルおよびマイクロセルを含み得る。例えば、ピコセルが、狭い地理的エリアをカバーし得、ネットワークプロバイダにサービス加入しているＵＥ１１５による無制限のアクセスを可能にし得る。フェムトセルがまた、狭い地理的エリア（例えば、住居）をカバーし得、フェムトセルと関連のあるＵＥ１１５（例えば、クローズド加入者グループ（ＣＳＧ：closed subscriber group）内のＵＥ１１５、住居の中にいるユーザのためのＵＥ１１５等）による制限付きのアクセスを提供し得る。マクロセルのためのｅＮＢが、マクロｅＮＢと呼ばれ得る。スモールセルのためのｅＮＢが、スモールセルｅＮＢ、ピコｅＮＢ、フェムトｅＮＢまたはホームｅＮＢと呼ばれ得る。ｅＮＢが、１つまたはマルチプルの（例えば、２、３、４等）セルをサポートし得、１つまたはマルチプルのコンポーネントキャリアを使用する通信をサポートすることもできる。
【０１９１】
[0162]  ワイヤレス通信システム１００または本明細書で説明されるシステムは、同期動作または非同期動作をサポートし得る。同期動作の場合、複数の基地局１０５は、同様のフレームタイミングを有し得、異なる基地局１０５からの送信は、時間的にほぼアラインされ得る。非同期動作の場合、複数の基地局１０５は、異なるフレームタイミングを有し得、異なる基地局１０５からの送信は、時間的にアラインされない可能性がある。ここに説明された技法は、同期動作または非同期動作のいずれにも使用され得る。
【０１９２】
[0163]  ここに説明された情報および信号は、多様な異なる技術および技法のうちのいずれを使用しても表され得る。例えば、上の説明の全体を通して言及された可能性のあるデータ、命令、コマンド、情報、信号、ビット、シンボル、およびチップは、電圧、電流、電磁波、磁場または磁性粒子、光場または光粒子、あるいはそれらの任意の組合せによって表され得る。
【０１９３】
[0164]  本明細書の開示に関して説明した様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェアコンポーネント、または本明細書で説明した機能を行うように設計されたそれらの任意の組合せを用いて実施または行われ得る。汎用プロセッサが、マイクロプロセッサであり得るが、別の方法において、プロセッサはいかなる従来のプロセッサ、コントローラ、マイクロコントローラ、またはステートマシンでもあり得る。プロセッサがまた、コンピューティングデバイスの組合せ（例えば、ＤＳＰとマイクロプロセッサとの組合せ、複数のマイクロプロセッサ、ＤＳＰコアと連携した１つまたは複数のマイクロプロセッサ、または任意の他のそのような構成）として実施され得る。
【０１９４】
[0165]  ここで説明された機能は、ハードウェア、プロセッサによって実行されるソフトウェア、ファームウェア、またはそれらの任意の組合せで実施され得る。プロセッサによって実行されるソフトウェアで実施される場合、それら機能は、コンピュータ読み取り可能な媒体上の１つまたは複数の命令またはコードとして記憶または送信され得る。他の例および実施形態が、添付の特許請求の範囲および本開示の範囲内にある。例えば、ソフトウェアの性質に起因して、上述した機能は、プロセッサ、ハードウェア、ファームウェア、ハードワイヤリング、またはこれらのうちの任意のものの組合せによって実行されるソフトウェアを使用して実施され得る。機能を実施する特徴はまた、機能の一部が異なる物理的ロケーションにおいて実施されるように分配された状態を含む、様々な位置に物理的に配置され得る。
【０１９５】
[0166]  コンピュータ読み取り可能な媒体は、１つの場所から別の場所へのコンピュータプログラムの転送を容易にする任意の媒体を含む通信媒体と非一時的なコンピュータ記憶媒体との両方を含む。非一時的な記憶媒体が、汎用または専用コンピュータによってアクセスされ得る任意の利用可能な媒体であり得る。限定でなく例として、非一時的コンピュータ可読媒体は、ランダムアクセスメモリ（ＲＡＭ）、読み取り専用メモリ（ＲＯＭ）、電気的消去可能プログラマブル読み取り専用メモリ（ＥＥＰＲＯＭ（登録商標））、フラッシュメモリ、コンパクトディスク（ＣＤ）ＲＯＭもしくは他の光ディスク記憶装置、磁気ディスク記憶装置もしくは他の磁気記憶デバイス、または命令もしくはデータ構造の形態で所望のプログラムコード手段を搬送もしくは記憶するために使用され得、汎用もしくは専用コンピュータ、または汎用もしくは専用プロセッサによってアクセスされ得る任意の他の非一時的媒体を備え得る。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、ＣＤ、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disks）は、通常磁気的にデータを再生し、一方ディスク（discs）は、レーザーを用いて光学的にデータを再生する。上記の組合せもまた、コンピュータ読み取り可能な媒体の範囲内に含まれる。
【０１９６】
[0167]  特許請求の範囲を含めて本明細書で使用される場合、項目のリスト（例えば、「のうちの少なくとも１つ」または「のうちの１つまたは複数」などのフレーズが前に付く項目のリスト）で使用される「または」は、例えば、Ａ、Ｂ、またはＣのうちの少なくとも１つのリストが、ＡまたはＢまたはＣまたはＡＢまたはＡＣまたはＢＣまたはＡＢＣ（例えば、ＡおよびＢおよびＣ）を意味するような包括的リストを示す。また、本明細書で使用される場合、「に基づく」というフレーズは、条件の閉じたセットへの言及として解釈されるべきでない。例えば、「条件Ａに基づく」と記載される例示的なステップは、本開示の範囲から逸脱することなく、条件Ａおよび条件Ｂの両方に基づき得る。言い換えれば、本明細書で使用される場合、「に基づく」というフレーズは、「に少なくとも部分的に基づく」というフレーズと同じように解釈されるものとする。
【０１９７】
[0168]  添付の図では、同様のコンポーネントまたは特徴が、同じ参照ラベルを有し得る。さらに、同じタイプの様々なコンポーネントは、参照ラベルの後にダッシュと同様のコンポーネント同士を区別する第２のラベルとを続けることによって、区別され得る。第１の参照ラベルのみが本明細書で使用される場合、説明は、第２の参照ラベルまたは他の後続の参照ラベルにかかわらず、同じ第１の参照ラベルを有する同様のコンポーネントのいずれか１つに適用可能である。
【０１９８】
[0169]  添付の図面に関連してここに記載された説明は、例示的な構成を説明しており、実施され得るまたは特許請求の範囲の適用範囲（the scope）内にある全ての例を表すわけでない。ここで使用された「例示的な（exemplary）」という用語は、「例、事例、または例示としての役割を果たす」ことを意味し、「より好ましい」または「他の例よりも有利である」ことを意味しない。詳細な説明は、説明された技法の理解を提供することを目的として特定の詳細を含む。しかしながら、これら技法は、これら特定の詳細なしに実践され得る。いくつかの事例では、周知の構造およびデバイスが、説明された例の概念を不明瞭にすることを避けるために、ブロック図の形式で示される。
【０１９９】
[0170]  本明細書における説明は、当業者が本開示を製造するまたは使用することを可能にするために提供されている。本開示への様々な修正は、当業者にとって容易に明らかとなり、ここに定義された一般的な原理は、本開示の範囲から逸脱することなく、他のバリエーションにも適用され得る。従って、本開示は、ここに説明された例および設計に限定されず、ここに開示された原理および新規な特徴と一致する最も広い範囲を与えられるべきである。
【図１】
2021518709.tif 000021
【図２】
2021518709.tif 000022
【図３】
2021518709.tif 000023
【図４】
2021518709.tif 000024
【図５】
2021518709.tif 000025
【図６】
2021518709.tif 000026
【図７】
2021518709.tif 000027
【図８】
2021518709.tif 000028
【図９】
2021518709.tif 000029
【図１０】
2021518709.tif 000030
【図１１】
2021518709.tif 000031
【図１２】
2021518709.tif 000032
【図１３】
2021518709.tif 000033
【図１４】
2021518709.tif 000034
【図１５】
2021518709.tif 000035
【図１６】
2021518709.tif 000036
【国際調査報告】
2021518709.tif 000037
2021518709.tif 000038
2021518709.tif 000039
2021518709.tif 000040